(57)【要約】  本願は、リソースユニット指示方法、装置、および記憶媒体を提供する。方法は、ＡＰがＰＰＤＵを複数のＳＴＡに送信する段階であって、ここで、ＰＰＤＵの伝送帯域幅はＭ個のサブブロックに分割され、Ｍは１より大きい整数であり、伝送帯域幅は８０ＭＨｚより大きいまたはそれに等しく、ＰＰＤＵはＭ個の第１のフィールドを含み、Ｍ個の第１のフィールドはＭ個のサブブロックと１対１の対応関係にあり、第１のフィールドは対応するサブブロック上で伝送され、第１のフィールドは、ＡＰにより複数のステーションＳＴＡのうち少なくとも１つに割り当てられたリソースユニットＲＵを指示するのに使用される、送信する段階を含む。したがって、より広い帯域幅におけるデータ伝送はより少ないオーバヘッドでサポートされる。
2021532660.tif 000002
【特許請求の範囲】
【請求項１】
リソースユニット指示方法であって、
アクセスポイント（ＡＰ）が物理プロトコルデータユニット（ＰＰＤＵ）を複数のステーション（ＳＴＡ）に送信する段階であって、前記ＰＰＤＵの伝送帯域幅はＭ個のサブブロックに分割され、Ｍは１より大きい整数であり、前記伝送帯域幅は８０ＭＨｚより大きいまたはそれに等しく、前記ＰＰＤＵはＭ個の第１のフィールドを備え、Ｍ個の前記第１のフィールドはＭ個の前記サブブロックと１対１の対応関係にあり、前記第１のフィールドは対応するサブブロック上で伝送され、前記第１のフィールドは、前記ＡＰにより前記複数のステーション（ＳＴＡ）のうち少なくとも１つに割り当てられたリソースユニット（ＲＵ）を指示するのに使用される、送信する段階を備える、方法。
【請求項２】
リソースユニット指示方法であって、
ステーション（ＳＴＡ）がアクセスポイント（ＡＰ）により送信された物理プロトコルデータユニット（ＰＰＤＵ）を受信する段階であって、前記ＰＰＤＵの伝送帯域幅はＭ個のサブブロックに分割され、Ｍは１より大きい整数であり、前記伝送帯域幅は８０ＭＨｚより大きいまたはそれに等しく、前記ＰＰＤＵはＭ個の第１のフィールドを備え、Ｍ個の前記第１のフィールドはＭ個の前記サブブロックと１対１の対応関係にあり、前記第１のフィールドは対応するサブブロック上で伝送され、前記第１のフィールドは、前記ＡＰにより複数のＳＴＡのうち少なくとも１つに割り当てられたリソースユニット（ＲＵ）を指示するのに使用され、前記ＳＴＡは前記複数のＳＴＡのいずれか１つである、受信する段階と、
前記ＳＴＡが前記第１のフィールドに基づいて前記ＰＰＤＵを解析する段階と
を備える、方法。
【請求項３】
前記ＲＵが前記第１のフィールドに対応する前記サブブロックに含まれた最大ＲＵより大きい場合、前記ＲＵは、複数のサブブロックを含むサブブロックの組み合わせであるか、または、前記ＲＵは、複数のサブブロックに含まれた全部または一部のセグメントを含むセグメントの組み合わせである、請求項１または２に記載の方法。
【請求項４】
前記ＰＰＤＵはＭ個の第２のフィールドをさらに含み、Ｍ個の前記第２のフィールドはＭ個の前記第１のフィールドと１対１の対応関係にあり、前記第２のフィールドは、基本サービスセットの色と、前記第２のフィールドに対応する前記第１のフィールドのシンボル数と、前記第２のフィールドに対応する前記第１のフィールドの変調および符号化スキームＭＣＳと、前記第２のフィールドに対応する前記第１のフィールドの圧縮モードと、前記ＰＰＤＵの前記伝送帯域幅と、といった情報のうち少なくとも１つを含む、請求項１から３のいずれか一項に記載の方法。
【請求項５】
前記Ｍ個のサブブロックの各サブブロックに対応する前記第２のフィールドに含まれた、前記第２のフィールドに対応する前記第１のフィールドの前記シンボル数、および前記ＰＰＤＵの前記伝送帯域幅といった２つの情報のうち少なくとも１つが同じである、請求項４に記載の方法。
【請求項６】
Ｍ個の前記サブブロックのうち少なくとも２つのサブブロックに対応する複数の前記第２のフィールドにおける前記第２のフィールドに対応する前記第１のフィールドの前記変調および符号化スキームは異なる、請求項４に記載の方法。
【請求項７】
前記ＰＰＤＵはさらに、Ｍ個のサブブロックに対応するガードインターバルと長いトレーニングシーケンスサイズのパラメータとを含み、Ｍ個のサブブロックに対応するあらゆるサブブロックの前記ガードインターバルおよび長いトレーニングシーケンスサイズの値は同じである、請求項１から６のいずれか一項に記載の方法。
【請求項８】
前記ＰＰＤＵは指示情報をさらに含み、前記指示情報は、前記ＲＵにおいてデータを伝送するＳＴＡの数を指示するのに使用される、請求項１から７のいずれか一項に記載の方法。
【請求項９】
前記第１のフィールドはさらに、前記ＲＵにおいてデータを伝送するＳＴＡの数を指示するのに使用される、請求項１から８のいずれか一項に記載の方法。
【請求項１０】
前記ＲＵは前記第１のフィールドに対応する前記サブブロックを含む、請求項１から９のいずれか一項に記載の方法。
【請求項１１】
リソースユニット指示装置であって、前記装置はアクセスポイント（ＡＰ）であって、
物理プロトコルデータユニット（ＰＰＤＵ）を生成するように構成された処理モジュールと、
前記ＰＰＤＵを複数のステーション（ＳＴＡ）に送信するように構成されており、前記ＰＰＤＵの伝送帯域幅はＭ個のサブブロックに分割され、Ｍは１より大きい整数であり、前記伝送帯域幅は８０ＭＨｚより大きいまたはそれに等しく、前記ＰＰＤＵはＭ個の第１のフィールドを含み、Ｍ個の前記第１のフィールドはＭ個の前記サブブロックと１対１の対応関係にあり、前記第１のフィールドは対応するサブブロック上で伝送され、前記第１のフィールドは、前記ＡＰにより前記複数のステーション（ＳＴＡ）のうち少なくとも１つに割り当てられたリソースユニット（ＲＵ）を指示するのに使用される、送信モジュールと
を備える、装置。
【請求項１２】
リソースユニット指示装置であって、前記装置はステーション（ＳＴＡ）であって、
アクセスポイント（ＡＰ）により送信された物理プロトコルデータユニット（ＰＰＤＵ）を受信することであって、前記ＰＰＤＵの伝送帯域幅はＭ個のサブブロックに分割され、Ｍは１より大きい整数であり、前記伝送帯域幅は８０ＭＨｚより大きいまたはそれに等しく、前記ＰＰＤＵはＭ個の第１のフィールドを含み、Ｍ個の前記第１のフィールドはＭ個の前記サブブロックと１対１の対応関係にあり、前記第１のフィールドは対応するサブブロック上で伝送され、前記第１のフィールドは、前記ＡＰにより複数のＳＴＡのうち少なくとも１つに割り当てられたリソースユニット（ＲＵ）を指示するのに使用され、前記ＳＴＡは前記複数のＳＴＡのいずれか１つである、受信することを行うように構成された、受信モジュールと、
前記第１のフィールドに基づいて前記ＰＰＤＵを解析するように構成された処理モジュールと
を備える、装置。
【請求項１３】
前記ＲＵが前記第１のフィールドに対応する前記サブブロックに含まれた最大ＲＵより大きい場合、前記ＲＵは、複数のサブブロックを含むサブブロックの組み合わせであるか、または、前記ＲＵは、複数のサブブロックに含まれた全部または一部のセグメントを含むセグメントの組み合わせである、請求項１１または１２に記載の装置。
【請求項１４】
前記ＰＰＤＵはＭ個の第２のフィールドをさらに含み、Ｍ個の前記第２のフィールドはＭ個の前記第１のフィールドと１対１の対応関係にあり、前記第２のフィールドは、基本サービスセットの色と、前記第２のフィールドに対応する前記第１のフィールドのシンボル数と、前記第２のフィールドに対応する前記第１のフィールドの変調および符号化スキームＭＣＳと、前記第２のフィールドに対応する前記第１のフィールドの圧縮モードと、前記ＰＰＤＵの前記伝送帯域幅と、といった情報のうち少なくとも１つを含む、請求項１１から１３のいずれか一項に記載の装置。
【請求項１５】
前記Ｍ個のサブブロックの各サブブロックに対応する前記第２のフィールドに含まれた、前記第２のフィールドに対応する前記第１のフィールドの前記シンボル数、および前記ＰＰＤＵの前記伝送帯域幅といった２つの情報のうち少なくとも１つが同じである、請求項１４に記載の装置。
【請求項１６】
Ｍ個の前記サブブロックのうち少なくとも２つのサブブロックに対応する複数の前記第２のフィールドにおける前記第２のフィールドに対応する前記第１のフィールドの前記変調および符号化スキームは異なる、請求項１４に記載の装置。
【請求項１７】
前記ＰＰＤＵはさらに、Ｍ個のサブブロックに対応するガードインターバルと長いトレーニングシーケンスサイズのパラメータとを含み、Ｍ個のサブブロックに対応するあらゆるサブブロックの前記ガードインターバルおよび長いトレーニングシーケンスサイズの値は同じである、請求項１１から１６のいずれか一項に記載の装置。
【請求項１８】
前記ＰＰＤＵは指示情報をさらに含み、前記指示情報は、前記ＲＵにおいてデータを伝送するＳＴＡの数を指示するのに使用される、請求項１１から１７のいずれか一項に記載の装置。
【請求項１９】
前記第１のフィールドはさらに、前記ＲＵにおいてデータを伝送するＳＴＡの数を指示するのに使用される、請求項１１から１８のいずれか一項に記載の装置。
【請求項２０】
前記ＲＵは前記第１のフィールドに対応する前記サブブロックを含む、請求項１１から１９のいずれか一項に記載の装置。
【請求項２１】
コンピュータ可読記憶媒体であって、前記コンピュータ可読記憶媒体は命令を格納するように構成され、前記命令がコンピュータ上で動作する場合、前記コンピュータは、請求項１から１０のいずれか一項に記載の方法を実行することが可能になる、コンピュータ可読記憶媒体。
【請求項２２】
コンピュータプログラムであって、前記コンピュータプログラムは１つまたは複数のコンピュータ命令を備え、前記１つまたは複数のコンピュータ命令がコンピュータ上で動作する場合、前記コンピュータは、請求項１から１０のいずれか一項に記載の方法を実行することが可能になる、コンピュータプログラム。
【請求項２３】
１または複数のプロセッサと、入力／出力インタフェースとを備える装置であって、前記入力／出力インタフェースは、前記装置の情報またはシグナリングの入力および出力を担当するように構成され、前記１または複数のプロセッサは、請求項１から１０のいずれか一項に記載の方法を実装する命令を実行するように構成される、装置。
【請求項２４】
プロセッサとメモリとを備える装置であって、前記メモリは、命令を格納するように構成され、前記命令が前記プロセッサ上で動作する場合、前記装置は、請求項１から１０のいずれか一項に記載の方法を実行することが可能になる、装置。
【請求項２５】
請求項１から１０のいずれか一項に記載の方法を実装するように構成された、装置。
【発明の詳細な説明】
【技術分野】
【０００１】
本願は、通信技術分野、特に、リソースユニット指示方法、装置、および記憶媒体に関する。
【背景技術】
【０００２】
現在、８０２．１１ａｘは、ダウンリンク（Ｄｏｗｎｌｉｎｋ，ＤＬ）直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ，ＯＦＤＭＡ）とダウンリンク（Ｄｏｗｎｌｉｎｋ，ＤＬ）マルチユーザ（Ｍｕｌｔｉｐｌｅ  Ｕｓｅｒ，ＭＵ）多重入力多重出力（Ｍｕｌｔｉｐｌｅ  Ｉｎｐｕｔ  Ｍｕｌｔｉｐｌｅ  Ｏｕｔｐｕｔ，ＭＩＭＯ）とのリソースユニット（Ｒｅｓｏｕｒｃｅ  Ｕｎｉｔ，ＲＵ）の指示方法を提供している。伝送側は、物理プロトコルデータユニットＰＰＤＵ（Ｐｈｙｓｉｃａｌ  Ｐｒｏｔｏｃｏｌ  Ｄａｔａ  Ｕｎｉｔ）を送信する。ＰＰＤＵは、高効率信号フィールド−Ａ（Ｈｉｇｈ  Ｅｆｆｉｃｉｅｎｔ−Ｓｉｇｎａｌ  Ｆｉｅｌｄ−Ａ）と高効率信号フィールド−Ｂ（Ｈｉｇｈ  Ｅｆｆｉｃｉｅｎｔ−Ｓｉｇｎａｌ  Ｆｉｅｌｄ−Ｂ）とを含む。ＨＥ−ＳＩＧ−Ａは、ＨＥ−ＳＩＧ−Ｂのシンボル長、ＨＥ−ＳＩＧ−Ｂの変調および符号化スキーム（Ｍｏｄｕｌａｔｉｏｎ  ａｎｄ  Ｃｏｄｉｎｇ  Ｓｃｈｅｍｅ，ＭＣＳ）、およびＰＰＤＵ全体の帯域幅などを指示するために使用される。ＰＰＤＵの帯域幅が２０ＭＨｚより大きいとき、ＨＥ−ＳＩＧ−Ａは２０ＭＨｚごとに複製され、次に伝送される。ＰＰＤＵはさらに、ＤＬ  ＭＵ  ＭＩＭＯおよびＤＬ  ＯＦＤＭＡのリソース指示情報を提供するＨＥ−ＳＩＧ−Ｂを含む。まず、ＨＥ−ＳＩＧ−Ｂは２０ＭＨｚごとに個別にコーディングされる。２０ＭＨｚごとのＨＥ−ＳＩＧ−Ｂのコーディング構造は、図１に示される。図１は、本願の一実施形態に係る、２０ＭＨｚごとのＨＥ−ＳＩＧ−Ｂのコーディング構造の概略図である。ＨＥ−ＳＩＧ−Ｂ全体は、共通のフィールドとＳＴＡ毎のフィールドとの２つの部分に分割される。共通のフィールドは、１個からＮ個のリソースユニット割り当てサブフィールド（ＲＵ  ａｌｌｏｃａｔｉｏｎ  ｓｕｂｆｉｅｌｄｓ）、帯域幅が８０ＭＨｚより大きいまたはそれに等しい場合に存在する中央２６トーン（Ｃｅｎｔｅｒ  ２６−Ｔｏｎｅ）のリソースユニット指示フィールド、チェックに使用される巡回冗長符号（Ｃｙｃｌｉｃ  Ｒｅｄｕｎｄａｎｃｙ  Ｃｏｄｅ，ＣＲＣ）サブフィールド、および周期的なデコードに使用される末端（Ｔａｉｌ）サブフィールドを含む。加えて、ＳＴＡ毎のフィールドは、リソースユニット割り当て順序で、１からＭ個のＳＴＡフィールド（Ｕｓｅｒ  Ｆｉｅｌｄｓ）を有する。通常、Ｍ個のＳＴＡフィールドの各２つは１つのグループである。最後のグループが１つまたは２つのＳＴＡフィールドを有し得ることを除いて、各２つのＳＴＡフィールドには、１つのＣＲＣフィールドおよび１つの末端フィールドが続く。
【０００３】
リソースユニット割り当てサブフィールドの指示方式は、８０２．１１ａｘの異なるＰＰＤＵ帯域幅におけるトーンプラン（Ｔｏｎｅ  Ｐｌａｎｓ）に依存する。例えば、図２は、本願の一実施形態に係る、８０ＭＨｚのトーンプランおよびＲＵプランの概略図である。図２に示されるように、帯域幅が８０ＭＨｚである場合、帯域幅全体は、２４２トーンのＲＵのユニットに４つのリソースユニットを含む。特に、２つの１３トーンのサブユニットを含む中央２６トーンのＲＵが、帯域幅全体の中央においてさらに存在する。代替的に、帯域幅全体は、１つの９９６トーンのＲＵ全体を含んでもよく、または、２６トーンのＲＵ、５２トーンのＲＵ、１０６トーンのＲＵ、２４２トーンのＲＵおよび４８４トーンのＲＵの様々な組み合わせを含んでもよい。さらに、２４２トーンのＲＵのユニットにおいて、図２の最も左側は最も低い周波数とみなされ得、図２の最も右側は一番高い周波数とみなされ得る。左から右へと、２４２トーンのＲＵ範囲内のＲＵに番号が付けられ得る。
【０００４】
さらに、８０２．１１ａｘは、コンテンツチャネル（Ｃｏｎｔｅｎｔ  Ｃｈａｎｎｅｌ，ＣＣ）の概念を導入する。図３は、本願の一実施形態に係る、８０ＭＨｚのＰＰＤＵ帯域幅におけるＨＥ−ＳＩＧ−Ｂの指示の概略図である。図３に示されるように、ＰＰＤＵ帯域幅が８０ＭＨｚである場合、合計で２つのＣＣが存在し、４つのチャネルが存在する。したがって、リソースユニット割り当て情報は、周波数の昇順でＣＣ１、ＣＣ２、ＣＣ１、ＣＣ２の構造に基づいて、４つのチャネルに全体的に指示される。ＣＣ１は、第１のおよび第３の２４２トーンのＲＵの範囲内のリソースユニット割り当てサブフィールドと、当該範囲内の対応するＳＴＡ毎のフィールドとを含む。ＣＣ２は、第２のおよび第４の２４２トーンのＲＵの範囲内のリソースユニットサブフィールドと、当該範囲内の対応するＳＴＡ毎のフィールドとを含む。加えて、８０ＭＨｚの中央２６トーンのＲＵ指示は、２つのＣＣの各々に保持され、リソースユニットがデータを伝送するのに使用されるかどうかを指示する。
【０００５】
要約すると、従来技術においては、２０ＭＨｚから１６０ＭＨｚの事例におけるリソースユニット指示が実装されるが、これは、比較的大きいオーバヘッドをもたらす。例えば、ＰＰＤＵ帯域幅が８０ＭＨｚである場合、各ＣＣは２つのリソースユニット割り当て指示サブフィールドを含み、２つの２４２トーンのＲＵにおける全てのユーザのＳＴＡ毎のフィールドを含み、結果的にオーバヘッドが比較的大きくなる。次世代標準において３２０ＭＨｚのＰＰＤＵ帯域幅が考慮される場合、オーバヘッドはさらに倍増する。したがって、８０２．１１ａｘの次世代標準における新しいＰＰＤＵが、より少ないオーバヘッドで、より広い帯域幅（例えば、３２０ＭＨｚ）においてＯＦＤＭＡまたはＭＵ−ＭＩＭＯ伝送をどのようにサポートするかは、本願において考慮される必要がある問題である。
【発明の概要】
【０００６】
本願は、より少ないオーバヘッドでより広い帯域幅においてデータ伝送をサポートすべく、リソースユニット指示方法、装置、および記憶媒体を提供する。
【０００７】
第１の態様によると、本願はリソースユニット指示方法を提供し、当該方法は、ＡＰが物理プロトコルデータユニットＰＰＤＵを複数のＳＴＡに送信する段階であって、ここで、ＰＰＤＵの伝送帯域幅はＭ個のサブブロックに分割され、Ｍは１より大きい整数であり、伝送帯域幅は８０ＭＨｚより大きいまたはそれに等しく、ＰＰＤＵはＭ個の第１のフィールドを含み、Ｍ個の第１のフィールドはＭ個のサブブロックと１対１の対応関係にあり、第１のフィールドは対応するサブブロック上で伝送され、第１のフィールドは、ＡＰにより複数のステーションＳＴＡのうち少なくとも１つに割り当てられたリソースユニットＲＵを指示するのに使用される、送信する段階を含む。
【０００８】
第２の態様によると、本願はリソースユニット指示方法を提供し、当該方法は、ＳＴＡがＡＰにより送信されたＰＰＤＵを受信する段階であって、ここで、ＰＰＤＵの伝送帯域幅はＭ個のサブブロックに分割され、Ｍは１より大きい整数であり、伝送帯域幅は８０ＭＨｚより大きいまたはそれに等しく、ＰＰＤＵはＭ個の第１のフィールドを含み、Ｍ個の第１のフィールドはＭ個のサブブロックと１対１の対応関係にあり、第１のフィールドは対応するサブブロック上で伝送され、第１のフィールドは、ＡＰにより複数のＳＴＡのうち少なくとも１つに割り当てられたリソースユニットＲＵを指示するのに使用され、ＳＴＡは複数のＳＴＡのいずれかである、受信する段階と、ＳＴＡが第１のフィールドに基づいてアップリンクデータを伝送する段階とを含む。
【０００９】
本願は、以下の有益な効果を含む：第１の態様または第２の態様に提供されたリソースユニット指示方法によると、より広い帯域幅におけるデータ伝送は、より少ないオーバヘッドでサポートされる。
【００１０】
任意選択的に、ＲＵが第１のフィールドに対応するサブブロックに含まれた最大ＲＵより大きい場合、ＲＵは、複数のサブブロックを含むサブブロックの組み合わせであるか、または、ＲＵは、複数のサブブロックに含まれた全部または一部のセグメントを含むセグメントの組み合わせである。言い換えれば、本願は、サブブロックの組み合わせまたはセグメントの組み合わせの指示方法を実装する。
【００１１】
可能な実装において、ＰＰＤＵは指示情報をさらに含み、指示情報は、ＲＵにおいてデータを伝送するＳＴＡの数を指示するのに使用される。
【００１２】
任意選択的に、伝送帯域幅が３２０ＭＨｚでありＭ＝４である場合、ＲＵはサブブロックの組み合わせであり、これに対応して、第１のフィールドとサブブロックの組み合わせとの間の対応関係は、以下のいずれかである：第１のフィールドが第１の値である場合、サブブロックの組み合わせは、第１のサブブロックと第２のサブブロックとの組み合わせである。第１のフィールドが第２の値である場合、サブブロックの組み合わせは、第１のサブブロックと第３のサブブロックとの組み合わせである。第１のフィールドが第３の値である場合、サブブロックの組み合わせは、第１のサブブロックと第４のサブブロックとの組み合わせである。第１のフィールドが第４の値である場合、サブブロックの組み合わせは、第２のサブブロックと第３のサブブロックとの組み合わせである。第１のフィールドが第５の値である場合、サブブロックの組み合わせは、第２のサブブロックと第４のサブブロックとの組み合わせである。第１のフィールドが第６の値である場合、サブブロックの組み合わせは、第３のサブブロックと第４のサブブロックとの組み合わせである。第１のフィールドが第７の値である場合、サブブロックの組み合わせは、第１のサブブロックと第２のサブブロックと第３のサブブロックとの組み合わせである。第１のフィールドが第８の値である場合、サブブロックの組み合わせは、第１のサブブロックと第２のサブブロックと第４のサブブロックとの組み合わせである。第１のフィールドが第９の値である場合、サブブロックの組み合わせは、第１のサブブロックと第３のサブブロックと第４のサブブロックとの組み合わせである。第１のフィールドが第１０の値である場合、サブブロックの組み合わせは、第２のサブブロックと第３のサブブロックと第４のサブブロックとの組み合わせである。第１のフィールドが第１１の値である場合、サブブロックの組み合わせは、第１のサブブロックと第２のサブブロックと第３のサブブロックと第４のサブブロックとの組み合わせである。第１のサブブロック、第２のサブブロック、第３のサブブロック、および第４のサブブロックは、４つの異なるサブブロックである。
【００１３】
任意選択的に、第１のフィールドの長さは８ビットである。
【００１４】
任意選択的に、伝送帯域幅が３２０ＭＨｚでありＭ＝２である場合、ＲＵはセグメントの組み合わせであり、これに対応して、第１のフィールドとセグメントの組み合わせとの間の対応関係は、以下のいずれかである：第１のフィールドが第１の値である場合、セグメントの組み合わせは、第１のセグメントと第２のセグメントと第３のセグメントとの組み合わせである。第１のフィールドが第２の値である場合、セグメントの組み合わせは、第１のセグメントと第２のセグメントと第４のセグメントとの組み合わせである。第１のフィールドが第３の値である場合、セグメントの組み合わせは、第１のセグメントと第３のセグメントと第４のセグメントとの組み合わせである。第１のフィールドが第４の値である場合、セグメントの組み合わせは、第２のセグメントと第３のセグメントと第４のセグメントとの組み合わせである。第１のフィールドが第５の値である場合、セグメントの組み合わせは、第１のセグメントと第２のセグメントと第３のセグメントと第４のセグメントとの組み合わせである。第１のセグメントおよび第２のセグメントはＭ個のサブブロックのうち１つを構成しており、第３のセグメントおよび第４のセグメントはＭ個のサブブロックのうち他の１つを構成する。
【００１５】
任意選択的に、第１のフィールドの長さは８ビットである。
【００１６】
別の可能な実装において、第１のフィールドはさらに、ＲＵにおいてデータを伝送するＳＴＡの数を指示するのに使用される。
【００１７】
任意選択的に、伝送帯域幅が３２０ＭＨｚでありＭ＝４である場合、ＲＵはサブブロックの組み合わせであり、これに対応して、第１のフィールドとサブブロックの組み合わせとサブブロックの組み合わせを使用することによりデータを伝送するＳＴＡの数との間の対応関係は、以下のうち少なくとも１つを含む：第１のフィールドが第１の値である場合、サブブロックの組み合わせは第１のサブブロックと第２のサブブロックとの組み合わせであり、サブブロックの組み合わせを使用することによりデータを伝送するＳＴＡの数は第１の数である。第１のフィールドが第２の値である場合、サブブロックの組み合わせは第１のサブブロックと第３のサブブロックとの組み合わせであり、サブブロックの組み合わせを使用することによりデータを伝送するＳＴＡの数は第２の数である。第１のフィールドが第３の値である場合、サブブロックの組み合わせは第１のサブブロックと第４のサブブロックとの組み合わせであり、サブブロックの組み合わせを使用することによりデータを伝送するＳＴＡの数は第３の数である。第１のフィールドが第４の値である場合、サブブロックの組み合わせは第２のサブブロックと第３のサブブロックとの組み合わせであり、サブブロックの組み合わせを使用することによりデータを伝送するＳＴＡの数は第４の数である。第１のフィールドが第５の値である場合、サブブロックの組み合わせは第２のサブブロックと第４のサブブロックとの組み合わせであり、サブブロックの組み合わせを使用することによりデータを伝送するＳＴＡの数は第５の数である。第１のフィールドが第６の値である場合、サブブロックの組み合わせは第３のサブブロックと第４のサブブロックとの組み合わせであり、サブブロックの組み合わせを使用することによりデータを伝送するＳＴＡの数は第６の数である。第１のフィールドが第７の値である場合、サブブロックの組み合わせは第１のサブブロックと第２のサブブロックと第３のサブブロックとの組み合わせであり、サブブロックの組み合わせを使用することによりデータを伝送するＳＴＡの数は第７の数である。第１のフィールドが第８の値である場合、サブブロックの組み合わせは第１のサブブロック、第２のサブブロック、第４のサブブロックとの組み合わせであり、サブブロックの組み合わせを使用することによりデータを伝送するＳＴＡの数は第８の数である。第１のフィールドが第９の値である場合、サブブロックの組み合わせは第１のサブブロックと第３のサブブロックと第４のサブブロックとの組み合わせであり、サブブロックの組み合わせを使用することによりデータを伝送するＳＴＡの数は第９の数である。第１のフィールドが第１０の値である場合、サブブロックの組み合わせは第２のサブブロックと第３のサブブロックと第４のサブブロックとの組み合わせであり、サブブロックの組み合わせを使用することによりデータを伝送するＳＴＡの数は第１０の数である。第１のフィールドが第１１の値である場合、サブブロックの組み合わせは第１のサブブロックと第２のサブブロックと第３のサブブロックと第４のサブブロックとの組み合わせであり、サブブロックの組み合わせを使用することによりデータを伝送するＳＴＡの数は第１１の数である。第１のサブブロック、第２のサブブロック、第３のサブブロック、および第４のサブブロックは、Ｍ個のサブブロックにおける４つの異なるサブブロックである。
【００１８】
任意選択的に、第１のフィールドの長さは９ビットである。
【００１９】
任意選択的に、伝送帯域幅が３２０ＭＨｚでありＭ＝２である場合、ＲＵはセグメントの組み合わせであり、これに対応して、第１のフィールドとセグメントの組み合わせとセグメントの組み合わせを使用することによりデータを伝送するＳＴＡの数との間の対応関係は、以下のうち少なくとも１つを含む：第１のフィールドが第１の値である場合、セグメントの組み合わせは第１のセグメントと第２のセグメントと第３のセグメントとの組み合わせであり、セグメントの組み合わせを使用することによりデータを伝送するＳＴＡの数は第１の数である。第１のフィールドが第２の値である場合、セグメントの組み合わせは第１のセグメントと第２のセグメントと第４のセグメントとの組み合わせであり、セグメントの組み合わせを使用することによりデータを伝送するＳＴＡの数は第２の数である。第１のフィールドが第３の値である場合、セグメントの組み合わせは第１のセグメントと第３のセグメントと第４のセグメントとの組み合わせであり、セグメントの組み合わせを使用することによりデータを伝送するＳＴＡの数は第３の数である。第１のフィールドが第４の値である場合、セグメントの組み合わせは第２のセグメントと第３のセグメントと第４のセグメントとの組み合わせであり、セグメントの組み合わせを使用することによりデータを伝送するＳＴＡの数は第４の数である。第１のフィールドが第５の値である場合、セグメントの組み合わせは第１のセグメントと第２のセグメントと第３のセグメントと第４のセグメントとの組み合わせであり、セグメントの組み合わせを使用することによりデータを伝送するＳＴＡの数は第５の数である。第１のセグメントおよび第２のセグメントはＭ個のサブブロックのうち１つを構成しており、第３のセグメントおよび第４のセグメントはＭ個のサブブロックのうち他の１つを構成する。
【００２０】
任意選択的に、第１のフィールドの各々は９ビットである。
【００２１】
任意選択的に、ＲＵは第１のフィールドに対応するサブブロックを含み、その結果、リソースオーバヘッドがさらに減少する。
【００２２】
任意選択的に、ＰＰＤＵはＭ個の第２のフィールドをさらに含み、Ｍ個の第２のフィールドはＭ個の第１のフィールドと１対１の対応関係にあり、第２のフィールドは以下の情報のうち少なくとも１つを含む：第２のフィールドに対応する第１のフィールドのシンボル数、第２のフィールドに対応する第１のフィールドの変調および符号化スキームＭＣＳ、第２のフィールドに対応する第１のフィールドの圧縮モード、ＰＰＤＵの伝送帯域幅、基本サービスセットの色、ガードインターバルおよび長いトレーニングシーケンスサイズ。
【００２３】
任意選択的に、ＰＰＤＵはＮ個の物理プロトコルデータサブユニットを含み、ＮはＭより小さいまたはそれに等しく、その結果、データ伝送の柔軟性が向上する。
【００２４】
第３の態様によると、本願はリソースユニット指示方法を提供し、当該方法は、ＡＰがＰＰＤＵを複数のＳＴＡに送信する段階であって、ここで、ＰＰＤＵはＭ個のトリガフレームを含み、Ｍは１より大きい整数であり、ここで、ＰＰＤＵの伝送帯域幅はＭ個のサブブロックに分割され、伝送帯域幅は４０ＭＨｚより大きいまたはそれに等しく、Ｍ個のトリガフレームはＭ個のサブブロックと１対１の対応関係にあり、トリガフレームは第１のフィールドを含み、第１のフィールドはトリガフレームに対応するサブブロック上で伝送され、第１のフィールドは、ＡＰにより複数のＳＴＡのうち少なくとも１つに割り当てられたリソースユニットＲＵを指示するのに使用される、送信する段階を含む。
【００２５】
第４の態様によると、本願はリソースユニット指示方法を提供し、当該方法は、ＳＴＡがＡＰにより送信されたＰＰＤＵを受信する段階であって、ここで、ＰＰＤＵはＭ個のトリガフレームを含み、Ｍは１より大きい整数であり、ここで、ＰＰＤＵの伝送帯域幅はＭ個のサブブロックに分割され、伝送帯域幅は４０ＭＨｚより大きいまたはそれに等しく、Ｍ個のトリガフレームはＭ個のサブブロックと１対１の対応関係にあり、トリガフレームは第１のフィールドを含み、第１のフィールドはトリガフレームに対応するサブブロック上で伝送され、第１のフィールドは、ＡＰにより複数のＳＴＡのうち少なくとも１つに割り当てられたリソースユニットＲＵを指示するのに使用され、ＳＴＡは複数のＳＴＡのいずれかである、受信する段階と、ＳＴＡが第１のフィールドに基づいてアップリンクデータを伝送する段階とを含む。
【００２６】
任意選択的に、ＲＵが第１のフィールドに対応するサブブロックに含まれた最大ＲＵより大きい場合、ＲＵは、複数のサブブロックを含むサブブロックの組み合わせであるか、または、ＲＵは、複数のサブブロックに含まれた全部または一部のセグメントを含むセグメントの組み合わせである。
【００２７】
任意選択的に、伝送帯域幅が３２０ＭＨｚでありＭ＝４である場合、ＲＵはサブブロックの組み合わせであり、これに対応して、第１のフィールドとサブブロックの組み合わせとの間の対応関係は、以下のいずれかである：第１のフィールドが第１の値である場合、サブブロックの組み合わせは、第１のサブブロックと第２のサブブロックとの組み合わせである。第１のフィールドが第２の値である場合、サブブロックの組み合わせは、第１のサブブロックと第３のサブブロックとの組み合わせである。第１のフィールドが第３の値である場合、サブブロックの組み合わせは、第１のサブブロックと第４のサブブロックとの組み合わせである。第１のフィールドが第４の値である場合、サブブロックの組み合わせは、第２のサブブロックと第３のサブブロックとの組み合わせである。第１のフィールドが第５の値である場合、サブブロックの組み合わせは、第２のサブブロックと第４のサブブロックとの組み合わせである。第１のフィールドが第６の値である場合、サブブロックの組み合わせは、第３のサブブロックと第４のサブブロックとの組み合わせである。第１のフィールドが第７の値である場合、サブブロックの組み合わせは、第１のサブブロックと第２のサブブロックと第３のサブブロックとの組み合わせである。第１のフィールドが第８の値である場合、サブブロックの組み合わせは、第１のサブブロックと第２のサブブロックと第４のサブブロックとの組み合わせである。第１のフィールドが第９の値である場合、サブブロックの組み合わせは、第１のサブブロックと第３のサブブロックと第４のサブブロックとの組み合わせである。第１のフィールドが第１０の値である場合、サブブロックの組み合わせは、第２のサブブロックと第３のサブブロックと第４のサブブロックとの組み合わせである。第１のフィールドが第１１の値である場合、サブブロックの組み合わせは、第１のサブブロックと第２のサブブロックと第３のサブブロックと第４のサブブロックとの組み合わせである。第１のサブブロック、第２のサブブロック、第３のサブブロック、および第４のサブブロックは、Ｍ個のサブブロックにおける４つの異なるサブブロックである。
【００２８】
任意選択的に、第１のフィールドの長さは８ビットである。
【００２９】
任意選択的に、伝送帯域幅が３２０ＭＨｚでありＭ＝２である場合、ＲＵはセグメントの組み合わせであり、これに対応して、第１のフィールドとセグメントの組み合わせとの間の対応関係は、以下のうち少なくとも１つを含む：第１のフィールドが第１の値である場合、セグメントの組み合わせは、第１のセグメントと第２のセグメントと第３のセグメントとの組み合わせである。第１のフィールドが第２の値である場合、セグメントの組み合わせは、第１のセグメントと第２のセグメントと第４のセグメントとの組み合わせである。第１のフィールドが第３の値である場合、セグメントの組み合わせは、第１のセグメントと第３のセグメントと第４のセグメントとの組み合わせである。第１のフィールドが第４の値である場合、セグメントの組み合わせは、第２のセグメントと第３のセグメントと第４のセグメントとの組み合わせである。第１のフィールドが第５の値である場合、セグメントの組み合わせは、第１のセグメントと第２のセグメントと第３のセグメントと第４のセグメントとの組み合わせである。第１のセグメントおよび第２のセグメントはＭ個のサブブロックのうち１つを構成しており、第３のセグメントおよび第４のセグメントはＭ個のサブブロックのうち他の１つを構成する。
【００３０】
任意選択的に、第１のフィールドは８ビットである。
【００３１】
任意選択的に、伝送帯域幅が１６０ＭＨｚのユニットにおいてＭ個のサブブロックに分割された場合、トリガフレームは第２のフィールドをさらに含む。第２のフィールドが第１の値でありＲＵが９９６トーンのＲＵより小さいまたはそれに等しい場合、第１の値は、ＲＵがトリガフレームに対応するサブブロックにおけるプライマリ８０ＭＨｚに属することを指示するのに使用されるか、または、第２のフィールドが第２の値でありＲＵが９９６トーンのＲＵより小さいまたはそれに等しい場合、第２の値は、ＲＵがトリガフレームに対応するサブブロックにおけるセカンダリ８０ＭＨｚに属することを指示するのに使用されるか、または、第２のフィールドが第１の値でありＲＵが９９６トーンのＲＵより小さいまたはそれに等しい場合、第１の値は、ＲＵがトリガフレームに対応するサブブロックにおける低周波数８０ＭＨｚに属することを指示するのに使用されるか、または、第２のフィールドが第２の値でありＲＵが９９６トーンのＲＵより小さいまたはそれに等しい場合、第２の値は、ＲＵがトリガフレームに対応するサブブロックにおける高周波数８０ＭＨｚに属することを指示するのに使用される。
【００３２】
任意選択的に、伝送帯域幅が３２０ＭＨｚである場合、トリガフレームは第３のフィールドをさらに含む。第３のフィールドが第１の値でありＲＵが９９６トーンのＲＵより小さいまたはそれに等しい場合、第１の値は、ＲＵが伝送帯域幅における一番低い周波数８０ＭＨｚに属することを指示するのに使用されるか、または、第３のフィールドが第２の値でありＲＵが９９６トーンのＲＵより小さいまたはそれに等しい場合、第２の値は、ＲＵが伝送帯域幅における２番目に低い周波数８０ＭＨｚに属することを指示するのに使用されるか、または、第３のフィールドが第３の値でありＲＵが９９６トーンのＲＵより小さいまたはそれに等しい場合、第３の値は、ＲＵが伝送帯域幅における２番目に高い周波数８０ＭＨｚに属することを指示するのに使用されるか、または、第３のフィールドが第４の値でありＲＵが９９６トーンのＲＵより小さいまたはそれに等しい場合、第４の値は、ＲＵが伝送帯域幅における一番高い周波数８０ＭＨｚに属することを指示するのに使用されるか、または、第３のフィールドが第１の値でありＲＵが９９６トーンのＲＵより小さいまたはそれに等しい場合、第１の値は、ＲＵが伝送帯域幅におけるプライマリ８０ＭＨｚに属することを指示するのに使用されるか、または、第３のフィールドが第２の値でありＲＵが９９６トーンのＲＵより小さいまたはそれに等しい場合、第２の値は、ＲＵが伝送帯域幅における第１のセカンダリ８０ＭＨｚに属することを指示するのに使用されるか、または、第３のフィールドが第３の値でありＲＵが９９６トーンのＲＵより小さいまたはそれに等しい場合、第３の値は、ＲＵが伝送帯域幅における第２のセカンダリ８０ＭＨｚに属することを指示するのに使用されるか、または、第３のフィールドが第４の値でありＲＵが９９６トーンのＲＵより小さいまたはそれに等しい場合、第４の値は、ＲＵが伝送帯域幅における第３のセカンダリ８０ＭＨｚに属することを指示するのに使用される。
【００３３】
任意選択的に、ＲＵは第１のフィールドに対応するサブブロックを含む。
【００３４】
第５の態様によると、本願はリソースユニット指示装置を提供する。装置はアクセスポイントＡＰであり、処理モジュールおよび送信モジュールを含む。処理モジュールは、物理プロトコルデータユニットＰＰＤＵを生成するように構成されており、送信モジュールは、ＰＰＤＵを複数のステーションＳＴＡに送信するように構成されており、ここで、ＰＰＤＵの伝送帯域幅はＭ個のサブブロックに分割され、Ｍは１より大きい整数であり、ここで、伝送帯域幅は８０ＭＨｚより大きいまたはそれに等しく、ＰＰＤＵはＭ個の第１のフィールドを含み、Ｍ個の第１のフィールドはＭ個のサブブロックと１対１の対応関係にあり、第１のフィールドは対応するサブブロック上で伝送され、第１のフィールドは、ＡＰにより複数のステーションＳＴＡのうち少なくとも１つに割り当てられたリソースユニットＲＵを指示するのに使用される。
【００３５】
第６の態様によると、本願はリソースユニット指示装置を提供する。装置はステーションＳＴＡであり、受信モジュールおよび処理モジュールを含む。受信モジュールは、アクセスポイントＡＰにより送信された物理プロトコルデータユニットＰＰＤＵを受信することであって、ここで、ＰＰＤＵの伝送帯域幅はＭ個のサブブロックに分割され、Ｍは１より大きい整数であり、ここで、伝送帯域幅は８０ＭＨｚより大きいまたはそれに等しく、ＰＰＤＵはＭ個の第１のフィールドを含み、Ｍ個の第１のフィールドはＭ個のサブブロックと１対１の対応関係にあり、第１のフィールドは対応するサブブロック上で伝送され、第１のフィールドは、ＡＰにより複数のＳＴＡのうち少なくとも１つに割り当てられたリソースユニットＲＵを指示するのに使用され、ＳＴＡは複数のＳＴＡのいずれかである、受信することを行うように構成されており、処理モジュールは、第１のフィールドに基づいてＰＰＤＵを解析するように構成される。
【００３６】
第７の態様によると、本願はリソースユニット指示装置を提供する。装置はアクセスポイントＡＰであり、処理モジュールおよび送信モジュールを含む。処理モジュールは、物理プロトコルデータユニットＰＰＤＵを生成するように構成されており、送信モジュールは、ＰＰＤＵを複数のステーションＳＴＡに送信することであって、ここで、ＰＰＤＵはＭ個のトリガフレームを含み、Ｍは１より大きい整数であり、ここで、ＰＰＤＵの伝送帯域幅はＭ個のサブブロックに分割され、伝送帯域幅は４０ＭＨｚより大きいまたはそれに等しく、Ｍ個のトリガフレームはＭ個のサブブロックと１対１の対応関係にあり、トリガフレームは第１のフィールドを含み、第１のフィールドはトリガフレームに対応するサブブロック上で伝送され、第１のフィールドは、ＡＰにより複数のＳＴＡのうち少なくとも１つに割り当てられたリソースユニットＲＵを指示するのに使用される、送信することを行うように構成される。
【００３７】
第８の態様によると、本願はリソースユニット指示装置を提供する。装置はステーションＳＴＡであり、受信モジュールおよび処理モジュールを含む。受信モジュールは、アクセスポイントＡＰにより送信された物理プロトコルデータユニットＰＰＤＵを受信することであって、ここで、ＰＰＤＵはＭ個のトリガフレームを含み、Ｍは１より大きい整数であり、ここで、ＰＰＤＵの伝送帯域幅はＭ個のサブブロックに分割され、伝送帯域幅は４０ＭＨｚより大きいまたはそれに等しく、Ｍ個のトリガフレームはＭ個のサブブロックと１対１の対応関係にあり、トリガフレームは第１のフィールドを含み、第１のフィールドはトリガフレームに対応するサブブロック上で伝送され、第１のフィールドは、ＡＰにより複数のＳＴＡのうち少なくとも１つに割り当てられたリソースユニットＲＵを指示するのに使用され、ＳＴＡは複数のＳＴＡのいずれかである、受信することを行うように構成されており、処理モジュールは、第１のフィールドに基づいてアップリンクデータを伝送するように構成される。
【００３８】
第９の態様によると、本願はリソースユニット指示装置を提供する。装置はアクセスポイントＡＰであり、プロセッサおよび送信機を含む。プロセッサは、物理プロトコルデータユニットＰＰＤＵを生成するように構成されており、送信機は、ＰＰＤＵを複数のステーションＳＴＡに送信するように構成されており、ここで、ＰＰＤＵの伝送帯域幅はＭ個のサブブロックに分割され、Ｍは１より大きい整数であり、ここで、伝送帯域幅は８０ＭＨｚより大きいまたはそれに等しく、ＰＰＤＵはＭ個の第１のフィールドを含み、Ｍ個の第１のフィールドはＭ個のサブブロックと１対１の対応関係にあり、第１のフィールドは対応するサブブロック上で伝送され、第１のフィールドは、ＡＰにより複数のステーションＳＴＡのうち少なくとも１つに割り当てられたリソースユニットＲＵを指示するのに使用される。
【００３９】
第１０の態様によると、本願はリソースユニット指示装置を提供する。装置はステーションＳＴＡであり、受信機およびプロセッサを含む。受信機は、アクセスポイントＡＰにより送信された物理プロトコルデータユニットＰＰＤＵを受信することであって、ここで、ＰＰＤＵの伝送帯域幅はＭ個のサブブロックに分割され、Ｍは１より大きい整数であり、ここで、伝送帯域幅は８０ＭＨｚより大きいまたはそれに等しく、ＰＰＤＵはＭ個の第１のフィールドを含み、Ｍ個の第１のフィールドはＭ個のサブブロックと１対１の対応関係にあり、第１のフィールドは対応するサブブロック上で伝送され、第１のフィールドは、ＡＰにより複数のＳＴＡのうち少なくとも１つに割り当てられたリソースユニットＲＵを指示するのに使用され、ＳＴＡは複数のＳＴＡのいずれかである、受信することを行うように構成されており、プロセッサは、第１のフィールドに基づいてＰＰＤＵを解析するように構成される。
【００４０】
第１１の態様によると、本願はリソースユニット指示装置を提供する。装置はアクセスポイントＡＰであり、プロセッサおよび送信機を含む。プロセッサは、物理プロトコルデータユニットＰＰＤＵを生成するように構成されており、送信機は、ＰＰＤＵを複数のステーションＳＴＡに送信することであって、ここで、ＰＰＤＵはＭ個のトリガフレームを含み、Ｍは１より大きい整数であり、ここで、ＰＰＤＵの伝送帯域幅はＭ個のサブブロックに分割され、伝送帯域幅は４０ＭＨｚより大きいまたはそれに等しく、Ｍ個のトリガフレームはＭ個のサブブロックと１対１の対応関係にあり、トリガフレームは第１のフィールドを含み、第１のフィールドは、トリガフレームに対応するサブブロック上で伝送され、第１のフィールドは、ＡＰにより複数のＳＴＡのうち少なくとも１つに割り当てられたリソースユニットＲＵを指示するのに使用される、送信することを行うように構成される。
【００４１】
第１２の態様によると、本願はリソースユニット指示装置を提供する。装置はステーションＳＴＡであり、受信機およびプロセッサを含む。受信機は、アクセスポイントＡＰにより送信された物理プロトコルデータユニットＰＰＤＵを受信することであって、ここで、ＰＰＤＵはＭ個のトリガフレームを含み、Ｍは１より大きい整数であり、ここで、ＰＰＤＵの伝送帯域幅はＭ個のサブブロックに分割され、伝送帯域幅は４０ＭＨｚより大きいまたはそれに等しく、Ｍ個のトリガフレームはＭ個のサブブロックと１対１の対応関係にあり、トリガフレームは第１のフィールドを含み、第１のフィールドはトリガフレームに対応するサブブロック上で伝送され、第１のフィールドは、ＡＰにより複数のＳＴＡのうち少なくとも１つに割り当てられたリソースユニットＲＵを指示するのに使用され、ＳＴＡは複数のＳＴＡのいずれかである、受信することを行うように構成されており、プロセッサは、第１のフィールドに基づいてアップリンクデータを伝送するように構成される。
【００４２】
第１３の態様によると、本願は、プログラム命令を含むコンピュータ記憶媒体を提供し、ここで、プログラム命令は、前述のリソースユニット指示方法を実装するのに使用される。
【００４３】
第１４の態様によると、本願は、プログラム命令を含むコンピュータプログラム製品を提供し、ここで、プログラム命令は、前述のリソースユニット指示方法を実装するのに使用される。
【００４４】
本願は、リソースユニット指示方法、装置、および記憶媒体を提供する。方法は、ＡＰが物理プロトコルデータユニットＰＰＤＵを複数のＳＴＡに送信する段階であって、ここで、ＰＰＤＵの伝送帯域幅はＭ個のサブブロックに分割され、Ｍは１より大きい整数であり、ここで、伝送帯域幅は８０ＭＨｚより大きいまたはそれに等しく、ＰＰＤＵはＭ個の第１のフィールドを含み、Ｍ個の第１のフィールドはＭ個のサブブロックと１対１の対応関係にあり、第１のフィールドは対応するサブブロック上で伝送され、第１のフィールドは、ＡＰにより複数のステーションＳＴＡのうち少なくとも１つに割り当てられたリソースユニットＲＵを指示するのに使用される、送信する段階を含む。したがって、より広い帯域幅におけるデータ伝送はより少ないオーバヘッドでサポートされる。
【図面の簡単な説明】
【００４５】
【図１】本願の一実施形態に係る、２０ＭＨｚごとのＨＥ−ＳＩＧ−Ｂのコーディング構造の概略図である。
【００４６】
【図２】本願の一実施形態に係る、８０ＭＨｚのトーンプランおよびＲＵプランの概略図である。
【００４７】
【図３】本願の一実施形態に係る、８０ＭＨｚのＰＰＤＵ帯域幅におけるＨＥ−ＳＩＧ−Ｂの指示の概略図である。
【００４８】
【図４】高効率マルチユーザ物理プロトコルデータユニット（Ｈｉｇｈ  ｅｆｆｉｃｉｅｎｔ  ｍｕｌｔｉｐｌｅ  ｕｓｅｒ  ＰＰＤＵ，ＨＥ  ＭＵ  ＰＰＤＵ）の概略構造図である。
【００４９】
【図５】本願の一実施形態に係る、１６０ＭＨｚの帯域幅におけるチャネル計画の概略図である。
【００５０】
【図６】本願の一実施形態に係る、２０ＭＨｚのトーンプランおよびＲＵプランの概略図である。
【００５１】
【図７】本願の一実施形態に係る、４０ＭＨｚのトーンプランおよびＲＵプランの概略図である。
【００５２】
【図８】本願の一実施形態に係る、２０ＭＨｚのＰＰＤＵ帯域幅におけるＨＥ−ＳＩＧ−Ｂ信号の指示の概略図である。
【００５３】
【図９】本願の一実施形態に係る、４０ＭＨｚのＰＰＤＵ帯域幅におけるＨＥ−ＳＩＧ−Ｂ信号の指示の概略図である。
【００５４】
【図１０】本願の一実施形態に係る、１６０ＭＨｚのＰＰＤＵ帯域幅におけるＨＥ−ＳＩＧ−Ｂ信号の指示の概略図である。
【００５５】
【図１１】本願の一実施形態に係る応用シナリオの概略図である。
【００５６】
【図１２】本願の一実施形態に係るリソースユニット指示方法のフローチャートである。
【００５７】
【図１３】本願の一実施形態に係る、８０ＭＨｚのサブブロックユニットにおける３２０ＭＨｚの帯域幅の概略図である。
【００５８】
【図１４】本願の一実施形態に係る、（２つのＣＣを含む）８０ＭＨｚのサブブロックユニットにおけるＥＨＴ−ＳＩＧ−Ｂの概略図である。
【００５９】
【図１５】本願の一実施形態に係る、（４つのＣＣを含む）８０ＭＨｚのサブブロックユニットにおけるＥＨＴ−ＳＩＧ−Ｂの概略図である。
【００６０】
【図１６】本願の一実施形態に係る、サブブロックの組み合わせベースのＥＨＴ−ＳＩＧ−Ｂの概略図である。
【００６１】
【図１７】本願の一実施形態に係る、サブブロックの組み合わせベースのＥＨＴ−ＳＩＧ−Ｂの概略図である。
【００６２】
【図１８】本願の一実施形態に係る、１６０ＭＨｚのサブブロックユニットにおける３２０ＭＨｚの帯域幅の概略図である。
【００６３】
【図１９Ａ】本願の一実施形態に係る、１６０ＭＨｚのサブブロックユニット（２つのＣＣ）におけるＥＨＴ−ＳＩＧ−Ｂの概略図である。
【図１９Ｂ】本願の一実施形態に係る、１６０ＭＨｚのサブブロックユニット（２つのＣＣ）におけるＥＨＴ−ＳＩＧ−Ｂの概略図である。
【図１９Ｃ】本願の一実施形態に係る、１６０ＭＨｚのサブブロックユニット（２つのＣＣ）におけるＥＨＴ−ＳＩＧ−Ｂの概略図である。
【００６４】
【図２０Ａ】本願の一実施形態に係る、１６０ＭＨｚのサブブロックユニット（４つのＣＣ）におけるＥＨＴ−ＳＩＧ−Ｂの概略図である。
【図２０Ｂ】本願の一実施形態に係る、１６０ＭＨｚのサブブロックユニット（４つのＣＣ）におけるＥＨＴ−ＳＩＧ−Ｂの概略図である。
【００６５】
【図２１】本願の一実施形態に係る、セグメントの組み合わせベースのＥＨＴ−ＳＩＧ−Ｂの概略図である。
【００６６】
【図２２】本願の一実施形態に係る、セグメントの組み合わせベースのＥＨＴ−ＳＩＧ−Ｂの概略図である。
【００６７】
【図２３】本願の一実施形態に係る、セグメントにおけるＥＨＴ−ＳＩＧ−Ａの概略図である。
【００６８】
【図２４】本願の一実施形態に係るリソースユニット指示方法のフローチャートである。
【００６９】
【図２５】本願の一実施形態に係る、８０ＭＨｚのサブブロックユニットにおける４つのトリガフレームに含まれた共通のフィールドおよびＳＴＡ毎のフィールドの概略図である。
【００７０】
【図２６】本願の一実施形態に係る、いくつかのサブブロックにおけるＥＨＴ  ＰＰＤＵの伝送の概略図である。
【００７１】
【図２７】本願の一実施形態に係る、いくつかのサブブロックにおける非ＥＨＴ  ＰＰＤＵの伝送の概略図である。
【００７２】
【図２８】本願の一実施形態に係る、アクセスポイント側の装置２８００の概略ブロック図である。
【００７３】
【図２９】本願の一実施形態に係る、アクセスポイント側の別の通信装置２９００の概略ブロック図である。
【００７４】
【図３０】本願の一実施形態に係る、ステーション側の装置３０００の概略ブロック図である。
【００７５】
【図３１】本願の一実施形態に係る、ステーション側の別の通信装置３１００の概略ブロック図である。
【発明を実施するための形態】
【００７６】
本願技術的解決手段を説明する前に、まず、本願に関連する専門用語を以下で説明する。
【００７７】
１．ＯＦＤＭＡ伝送
【００７８】
無線ローカルエリアネットワーク（Ｗｉｒｅｌｅｓｓ  Ｌｏｃａｌ  Ａｒｅａ  Ｎｅｔｗｏｒｋ，ＷＬＡＮ）は、８０２．１１ａ／ｇから８０２．１１ｎおよび８０２．１１ａｃに、そして現在説明されている８０２．１１ａｘに開発され、ＷＬＡＮのＰＰＤＵによりサポートされる帯域幅は表１に示される。
［表１］
【表１】
2021532660.tif 000003
【００７９】
８０２．１１ｎ規格は高スループット（Ｈｉｇｈ  Ｔｈｒｏｕｇｈｐｕｔ，ＨＴ）と称され、８０２．１１ａｃ規格は超高スループット（Ｖｅｒｙ  Ｈｉｇｈ  Ｔｈｒｏｕｇｈｐｕｔ，ＶＨＴ）と称され、８０２．１１ａｘは高効率（Ｈｉｇｈ  Ｅｆｆｉｃｉｅｎｔ，ＨＥ）と称される。８０２．１１ａ／ｇなどのＨＴより前の規格は、非高スループット（Ｎｏｎ−Ｈｉｇｈ  Ｔｈｒｏｕｇｈｐｕｔ，Ｎｏｎ−ＨＴ）と集合的に称される。
【００８０】
８０２．１１ａｘ規格より前の８０２．１１規格は、直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，ＯＦＤＭ）伝送をサポートし、帯域幅全体は、単一ユーザ（Ｓｉｎｇｌｅ  Ｕｓｅｒ，ＳＵ）伝送のために、またはダウンリンクマルチユーザ多入力多出力（Ｄｏｗｎｌｉｎｋ  Ｍｕｌｔｉｐｌｅ  Ｕｓｅｒ  Ｍｕｌｔｉｐｌｅ  Ｉｎｐｕｔ  Ｍｕｌｔｉｐｌｅ  Ｏｕｔｐｕｔ，ＤＬ  ＭＵ  ＭＩＭＯ）伝送のために、１つのＳＴＡまたは１つのＳＴＡグループに一元的に割り当てられる。８０２．１１ａｘな、直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ，ＯＦＤＭＡ）技術を新たに導入し、帯域幅全体は１または複数のＲＵに分割される。８０２．１１ａｘは、ＤＬ  ＯＦＤＭＡとアップリンク（Ｕｐｌｉｎｋ，ＵＬ）ＯＦＤＭＡとを導入する。８０２．１１ａｘは、合計で４つのパケットフォーマットを有する。ＨＥ  ＭＵ  ＰＰＤＵは主に、ＤＬ  ＯＦＤＭＡおよびＤＬ  ＭＵ  ＭＩＭＯ伝送を実行するのに使用される。図４は、高効率マルチユーザ物理プロトコルデータユニット（Ｈｉｇｈ  ｅｆｆｉｃｉｅｎｔ  ｍｕｌｔｉｐｌｅ  ｕｓｅｒ  ＰＰＤＵ，ＨＥ  ＭＵ  ＰＰＤＵ）の概略構造図である。図４に示されるように、ＰＰＤＵはプリアンブル部分とデータフィールド部分とに分割され、プリアンブル部分は、ＨＥ−ＳＩＧ−ＡとＨＥ−ＳＩＧ−Ｂとの２つのＨＥ信号フィールド部分を含む。上記のように、ＨＥ−ＳＩＧ−Ａは、ＰＰＤＵの帯域幅、ＨＥ−ＳＩＧ−Ｂに含まれたシンボルの数、ＨＥ−ＳＩＧ−Ｂに使用されたＭＣＳ、およびＨＥ−ＳＩＧ−Ｂが圧縮モードを使用するかどうかなどを指示するのに使用される。図１に示されるように、ＨＥ−ＳＩＧ−Ｂは主に、共通のフィールドとＳＴＡ毎のフィールドとを含む。共通のフィールドは、１個からＮ個のリソースユニット割り当てサブフィールド、帯域幅が８０ＭＨｚより大きいまたはそれに等しい場合に存在する中央２６トーンリソースユニット（２６−ｔｏｎｅ  ＲＵ）指示フィールド、チェックに使用されるＣＲＣサブフィールド、および周期的なデコードに使用される末端（Ｔａｉｌ）サブフィールドを含む。加えて、ＳＴＡ毎のフィールドは、リソースユニット割り当て順序で、１からＭ個のＳＴＡフィールド（Ｕｓｅｒ  Ｆｉｅｌｄｓ）を有する。通常、Ｍ個のＳＴＡフィールドの各２つは１つのグループである。最後のグループが１つまたは２つのＳＴＡフィールドを有し得ることを除いて、各２つのＳＴＡフィールドには、１つのＣＲＣフィールドおよび１つの末端フィールドが続く。
【００８１】
２．チャネルおよびアクセス
【００８２】
８０２．１１規格は、通常、２０ＭＨｚを基本帯域幅として使用し、サポートされる帯域幅は一般的に、２０ＭＨｚの指数的整数倍（２０ＭＨｚ、４０ＭＨｚ、８０ＭＨｚおよび１６０ＭＨｚ）である。２０ＭＨｚは１つのチャネルとして使用される。例えば、図５は、本願の一実施形態に係る、１６０ＭＨｚの帯域幅におけるチャネル計画の概略図である。図５に示されるように、１６０ＭＨｚチャネル全体はプライマリ２０ＭＨｚ（Ｐｒｉｍａｒｙ  ２０ＭＨｚ，Ｐ２０）チャネル（プライマリチャネルと代替的に称される）と、セカンダリ２０ＭＨｚ（Ｓｅｃｏｎｄａｒｙ  ２０ＭＨｚ，Ｓ２０）チャネルと、セカンダリ４０ＭＨｚ（Ｓ４０）チャネルと、セカンダリ８０ＭＨｚ（Ｓ８０）チャネルとに分割される。
【００８３】
３．８０２．１１ａｘ／ａｃ規格におけるセグメント（Ｓｅｇｍｅｎｔ，Ｓｅｇ）技術
【００８４】
８０２．１１ａｘ／ａｃ規格において、ＰＰＤＵの伝送帯域幅は、帯域幅が１６０ＭＨｚまたは８０ＭＨｚ＋８０ＭＨｚである場合に、８０ＭＨｚのセグメントユニットに分割され、２つのセグメントを形成する。
【００８５】
さらに、上記のように、現在、８０２．１１ａｘにおけるＨＥ−ＳＩＧ−Ｂは、ＤＬ  ＯＦＤＭＡおよびＤＬ  ＭＵ  ＭＩＭＯのリソースユニット指示方法を提供している。リソースユニット割り当てサブフィールドの指示方式は、８０２．１１ａｘの異なるＰＰＤＵ帯域幅におけるトーンプラン（Ｔｏｎｅ  Ｐｌａｎ）に依存する。
【００８６】
図６は、本願の一実施形態に係る、２０ＭＨｚのトーンプランおよびＲＵプランの概略図である。図６に示されるように、帯域幅が２０ＭＨｚである場合、帯域幅全体は１つの２４２トーンのＲＵ全体を含んでもよく、または、２６トーンのＲＵ、５２トーンのＲＵおよび１０６トーンのＲＵの様々な組み合わせを含んでもよい。いくつかのガード（Ｇｕａｒｄ）トーン、空のトーン（図中に１が位置付けられたトーンは空のトーンであり、１は空のトーンの数が１であることを指示する）、または直流（Ｄｉｒｅｃｔ  Ｃｕｒｒｅｎｔ，ＤＣ）トーンが、データを伝送するのに使用されるＲＵに加えて、含まれる。
【００８７】
図７は、本願の一実施形態に係る、４０ＭＨｚのトーンプランおよびＲＵプランの概略図である。図７に示されるように、帯域幅が４０ＭＨｚである場合、帯域幅全体はおおよそ２０ＭＨｚのトーンプランの複製に相当し、帯域幅全体は、１つの４８４トーンのＲＵ全体を含んでもよく、または、２６トーンのＲＵ、５２トーンのＲＵ、１０６トーンのＲＵおよび２４２トーンのＲＵの様々な組み合わせを含んでもよい。
【００８８】
上記のように、図２は、８０ＭＨｚのトーンプランおよびＲＵプランを示す。図２に示されるように、帯域幅が８０ＭＨｚである場合、帯域幅全体は、２４２トーンのＲＵのユニットに４つのリソースユニットを含む。特に、２つの１３トーンのサブユニットを含む中央２６トーンのＲＵは、帯域幅全体の中央においてさらに存在する。帯域幅全体は、１つの９９６トーンのＲＵ全体を含んでもよく、または、２６トーンのＲＵ、５２トーンのＲＵ、１０６トーンのＲＵ、２４２トーンのＲＵおよび４８４トーンのＲＵの様々な組み合わせを含んでもよい。
【００８９】
帯域幅が１６０ＭＨｚまたは８０ＭＨｚ＋８０ＭＨｚである場合、帯域幅全体は、２つの８０ＭＨｚトーンプランの複製であるとみなされてよく、帯域幅全体は、１つの２＊９９６トーンのＲＵ全体を含んでよく、または、２６トーンのＲＵ、５２トーンのＲＵ、１０６トーンのＲＵ、２４２トーンのＲＵ、４８４トーンのＲＵおよび９９６トーンのＲＵの様々な組み合わせを含んでよい。
【００９０】
前述の様々なトーンプランにおいて、２４２トーンのＲＵのユニットにおいて、図２、図６または図７の場合、最も左側が一番低い周波数とみなされてよく、最も右側が一番高い周波数とみなされてよい。左から右へと、２４２トーンのＲＵに番号が付けられ得る。
【００９１】
上記のように、８０２．１１ａｘは、コンテンツチャネルＣＣの概念を導入する。図８は、本願の一実施形態に係る、２０ＭＨｚのＰＰＤＵ帯域幅におけるＨＥ−ＳＩＧ−Ｂ信号の指示の概略図である。図８に示されるように、ＰＰＤＵ帯域幅が２０ＭＨｚのみである場合、ＨＥ−ＳＩＧ−Ｂは１つのＣＣのみを含み、ＣＣは、データ部分２４２トーン（ｔｏｎｅ）のＲＵの範囲内のリソースユニット割り当て指示を指示するのに使用される１つのリソースユニット割り当てサブフィールドを含む。リソースユニット割り当てサブフィールドは８ビットであり、２４２トーンのＲＵにおける全ての可能なリソースユニットの配置の組み合わせ方式は、インデックス化により指示される。加えて、サイズが１０６トーンより大きいまたはそれに等しいＲＵの場合、ＲＵにおいてＳＵ／ＭＵ−ＭＩＭＯ送信を実行するユーザの数（すなわち、ＳＴＡの数）も、インデックス化により指示される。リソースユニット割り当てサブフィールドのインデックスは表２に示される。
［表２］
【表２】
2021532660.tif 000004
【表３】
2021532660.tif 000005
【表４】
2021532660.tif 000006
【００９２】
表２に示されるように、第１の列は、リソースユニット割り当てサブフィールドの８ビットインデックスを指示し、中間の列＃１から＃９は、異なるリソースユニットの配置の組み合わせを指示し、ここで、表中の数字は、リソースユニットに含まれたトーンの数を指示する。例えば、インデックス００１１１ｙ２ｙ１ｙ０は、２４２トーンのＲＵ全体の範囲が、５２トーンのＲＵ、５２トーンのＲＵ、２６トーンのＲＵおよび１０６トーンのＲＵの合計４つのＲＵに分割されたことを指示する。加えて、第３の列は、同じリソースユニットが割り当てられたエントリーの数を指示する。エントリーの数は、１０６トーンのＲＵに含まれたユーザの数を指示するのに使用される。例えば、リソースユニット割り当てを指示する場合、１から８人のユーザ（すなわち、ステーション）に対応する１０６トーンのＲＵに含まれたユーザの数を指示するのにｙ２ｙ１ｙ０がさらに使用されるので、０００１０ｙ２ｙ１ｙ０に対応するエントリーの数は８である。ｙ２ｙ１ｙ０の各値は０または１であり得る。
【００９３】
加えて、ＰＰＤＵ帯域幅が２０ＭＨｚより大きいとき、リソースユニット割り当てサブフィールドは、例えば、４８４トーンのＲＵまたは９９６トーンのＲＵなどの、２４２トーンのＲＵより大きいリソースユニットの事例をさらに指示し得、ここで、２４２トーンのＲＵより大きいリソースユニットは、ＳＴＡが位置付けられた２４２トーンのＲＵを含む、より大きいＲＵのリソースユニットがＳＴＡに割り当てられたことを指示する。
【００９４】
さらに、２４２トーンのＲＵ範囲内で割り当てられたＳＴＡのステーション情報は、リソース割り当て順序でのＳＴＡ毎のフィールドに指示される。
【００９５】
図９は、本願の一実施形態に係る、４０ＭＨｚのＰＰＤＵ帯域幅におけるＨＥ−ＳＩＧ−Ｂ信号の指示の概略図である。図９に示されるように、ＰＰＤＵ帯域幅が４０ＭＨｚである場合、ＣＣ１およびＣＣ２の２つのＨＥ−ＳＩＧ−Ｂコンテンツチャネルが存在する。第１のＨＥ−ＳＩＧ−ＢチャネルＣＣ１は、第１の２４２トーンのＲＵの範囲内のリソースユニット割り当てサブフィールドと、対応するＳＴＡ毎のフィールドとを含む。第２のＨＥ−ＳＩＧ−ＢチャネルＣＣ２は、第２の２４２トーンのＲＵの範囲内のリソースユニット割り当てサブフィールドと、対応するＳＴＡ毎のフィールドとを含む。
【００９６】
図３は、８０ＭＨｚのＰＰＤＵ帯域幅におけるＨＥ−ＳＩＧ−Ｂ信号の指示を示す。図３に示されるように、ＰＰＤＵ帯域幅が８０ＭＨｚである場合、２つのＣＣがさらに存在し、合計４つのチャネルが存在する。したがって、リソースユニット割り当て情報は、周波数の昇順でＣＣ１、ＣＣ２、ＣＣ１、ＣＣ２の構造に基づいて、４つのチャネルに全体的に指示される。ＣＣ１は、第１のおよび第３の２４２トーンのＲＵの範囲内のリソースユニット割り当てサブフィールドと、当該範囲内の対応するＳＴＡ毎のフィールドとを含む。ＣＣ２は、第２のおよび第４の２４２トーンのＲＵの範囲内のリソースユニットサブフィールドと、当該範囲内の対応するＳＴＡ毎のフィールドとを含む。加えて、８０ＭＨｚの中央２６トーンのＲＵ指示は、２つのＣＣの各々に保持され、リソースユニットがデータを伝送するのに使用されるかどうかを指示する。
【００９７】
図１０は、本願の一実施形態に係る、１６０ＭＨｚのＰＰＤＵ帯域幅におけるＨＥ−ＳＩＧ−Ｂ信号の指示の概略図である。図１０に示されるように、ＰＰＤＵ帯域幅が１６０ＭＨｚである場合、２つのＣＣがさらに存在し、合計８個のチャネルが存在する。したがって、リソースユニット割り当て情報は、周波数の昇順でＣＣ１、ＣＣ２、ＣＣ１、ＣＣ２、ＣＣ１、ＣＣ２、ＣＣ１、ＣＣ２の構造に基づいて、８個のチャネルに全体的に指示される。ＣＣ１は、第１の、第３の、第５のおよび第７の２４２トーンのＲＵの範囲内のリソースユニット割り当てサブフィールドと、当該範囲内の対応するＳＴＡ毎のフィールドとを含む。ＣＣ２は、第２の、第４の、第６のおよび第８の２４２トーンのＲＵの範囲内のリソースユニットサブフィールドと、当該範囲内の対応するＳＴＡ毎のフィールドとを含む。加えて、１６０ＭＨｚの２つの８０ＭＨｚの中央２６トーンのＲＵ指示は、２つのＣＣの各々に保持され、リソースユニットがデータを伝送するのに使用されるかどうかを指示する。
【００９８】
加えて、全帯域幅モードにおけるＭＵ−ＭＩＭＯの場合、８０２．１１ａｘは、ＨＥ−ＳＩＧ−Ｂが圧縮モードであることと、全帯域幅のＭＵ−ＭＩＭＯ伝送を実行するユーザの数とを、ＨＥ−ＳＩＧ−Ａにおいて指示する。この場合、ＨＥ−ＳＩＧ−Ｂは共通のフィールドを有せず、ＳＴＡ毎のフィールドを直接指示する。
【００９９】
上記のように、従来技術においては、２０ＭＨｚから１６０ＭＨｚの事例におけるリソースユニット指示が実装されるが、これは、比較的大きいオーバヘッドをもたらす。例えば、ＰＰＤＵ帯域幅が８０ＭＨｚである場合、各ＣＣは２つのリソースユニット割り当て指示サブフィールドを含み、２つの２４２トーンのＲＵにおける全てのユーザのＳＴＡ毎のフィールドを含む。結果的に、オーバヘッドが比較的大きくなる。別の例において、ＰＰＤＵ帯域幅が１６０ＭＨｚである場合、各ＣＣは４つのリソースユニット割り当てサブフィールドを含み、４つの２４２トーンのＲＵにおける全てのユーザのＳＴＡ毎のフィールドを含む。結果的に、オーバヘッドが比較的大きくなる。次世代標準において３２０ＭＨｚのＰＰＤＵ帯域幅が考慮される場合、オーバヘッドはさらに倍増する。したがって、より少ないオーバヘッドで、より広い帯域幅（例えば、３２０ＭＨｚ）においてＯＦＤＭＡまたはＭＵ−ＭＩＭＯ伝送をどのようにサポートするかは、本願において考慮される必要がある問題である。
【０１００】
本願の実施形態における技術的解決手段は、無線ローカルエリアネットワークＷＬＡＮにおける８０２．１１ａｘの次世代標準またはさらなる次世代標準をサポートする通信システムに適用されてもよく、または、大きい帯域幅においてＯＦＤＭ伝送をサポートする別の通信システムに適用されてもよいことに留意されたい。本願においては、説明し易くするために、８０２．１１ａｘの次世代標準は、極度に高いスループット（Ｅｘｔｒｅｍｅｌｙ  Ｈｉｇｈ  Ｔｈｒｏｕｇｈｐｕｔ，ＥＨＴ）と称される。８０２．１１ａｘの次世代標準は、極度のスループット（Ｅｘｔｒｅｍｅ  Ｔｈｒｏｕｇｈｐｕｔ，ＸＴ）または超高スループット（Ｕｌｔｒａ  Ｈｉｇｈ  Ｔｈｒｏｕｇｈｐｕｔ，ＵＨＴ）などの別の名称を有してもよいことが理解されよう。これは、本願において限定されるものではない。説明し易くするために、ＷＬＡＮシステムが本願の実施形態における説明のための例として使用される。図１１は、本願の一実施形態に係る応用シナリオの概略図である。図１１に示されるように、アプリケーションシナリオは、１または複数のアクセスポイントＡＰと、１または複数のステーションＳＴＡとを含み得る。アクセスポイントＡＰは、ステーションと通信するように構成されたデバイスであり得る。アクセスポイントは、無線送受信機能を有する任意のデバイス、または、当該デバイスに配置可能なチップであり得る。デバイスは、限定されないが、進化型ＮｏｄｅＢ（ｅｖｏｌｖｅｄ  ＮｏｄｅＢ，ｅＮＢ）、無線ネットワークコントローラ（ｒａｄｉｏ  ｎｅｔｗｏｒｋ  ｃｏｎｔｒｏｌｌｅｒ，ＲＮＣ）、ＮｏｄｅＢ（ＮｏｄｅＢ，ＮＢ）、基地局コントローラ（ｂａｓｅ  ｓｔａｔｉｏｎ  ｃｏｎｔｒｏｌｌｅｒ，ＢＳＣ）、ベーストランシーバ基地局（ｂａｓｅ  ｔｒａｎｓｃｅｉｖｅｒ  ｓｔａｔｉｏｎ，ＢＴＳ）、ホーム基地局（例えば、ｈｏｍｅ  ｅｖｏｌｖｅｄ  ＮｏｄｅＢまたはｈｏｍｅ  ＮｏｄｅＢ，ＨＮＢ）、ベースバンドユニット（ｂａｓｅｂａｎｄ  Ｕｎｉｔ，ＢＢＵ）、ワイヤレス・フィディリティ（ｗｉｒｅｌｅｓｓ  ｆｉｄｅｌｉｔｙ，Ｗｉ−Ｆｉ（登録商標））システムにおけるアクセスポイント（ａｃｃｅｓｓ  ｐｏｉｎｔ，ＡＰ）、無線中継ノード、無線バックホールノード、伝送ポイント（ｔｒａｎｓｍｉｓｓｉｏｎ  ｐｏｉｎｔ，ＴＰ）、および送受信ポイント（ｔｒａｎｓｍｉｓｓｉｏｎ  ａｎｄ  ｒｅｃｅｐｔｉｏｎ  ｐｏｉｎｔ，ＴＲＰ）などを含む。代替的に、デバイスは、５Ｇプロトコルをサポートする基地局などであり得る。ステーションＳＴＡは、ユーザ機器、アクセス端末、加入者ユニット、加入者局、移動局、モバイルコンソール、リモートステーション、リモート端末、モバイルデバイス、ユーザ端末、端末、無線通信デバイス、ユーザエージェント、またはユーザ装置であり得る。代替的に、ステーションは携帯電話、コードレス電話セット、セッション開始プロトコル（ｓｅｓｓｉｏｎ  ｉｎｉｔｉａｔｉｏｎ  ｐｒｏｔｏｃｏｌ，ＳＩＰ）電話、無線ローカルエリアネットワークにおけるステーション、車載デバイス、ウェアラブルデバイス、将来の５Ｇネットワークにおける端末デバイス、または将来の進化型公衆陸上移動体ネットワーク（ｐｕｂｌｉｃ  ｌａｎｄ  ｍｏｂｉｌｅ  ｎｅｔｗｏｒｋ，ＰＬＭＮ）における端末デバイスなどであり得る。
【０１０１】
本願における技術的解決手段は、ＡＰと１または複数のＳＴＡとの間のデータ通信に適用可能であり、また、ＡＰと複数のＡＰとの間の通信にも適用可能であり、さらに、ＳＴＡと複数のＳＴＡとの間の通信にも適用可能である。以下では、ＡＰと複数のＳＴＡとの間のデータ通信を、本願における技術的解決手段を説明する例として使用する。
【０１０２】
本願における技術的解決手段の主な手順は、以下の通りである：ＡＰはＰＰＤＵをＳＴＡに送信する。ＰＰＤＵの伝送帯域幅はＭ個のサブブロックに分割される。ＰＰＤＵは、各サブブロックに対応するＥＨＴ−ＳＩＧ−Ｂ（すなわち、以下の実施形態１および実施形態２における第１のフィールド。代替的に、ＥＨＴ−ＳＩＧ−Ｂは、サブブロックが複数のＣＣを含む場合に第１のフィールドを含む）を含む。任意選択的に、ＰＰＤＵはさらに、各サブブロックに対応するＥＨＴ−ＳＩＧ−Ａ（すなわち、実施形態１および実施形態２における第２のフィールド。代替的に、ＥＨＴ−ＳＩＧ−Ａは、サブブロックが複数のＣＣを含む場合に第２のフィールドを含む）を含む。ＡＰは、各サブブロックにおける第１のフィールドを使用することにより、第１のフィールドに対応するサブブロックにおけるＳＴＡのＲＵ割り当てステータスを指示する。第１のフィールドにより指示されるＲＵのサイズが、第１のフィールドに対応するサブブロックに含まれた最大ＲＵより小さいまたはそれに等しい場合、第１のフィールドにより指示されたＲＵは、ＳＴＡが属するサブブロックにおけるＳＴＡにのみ割り当てられる。第１のフィールドにより指示されるＲＵのサイズが、第１のフィールドに対応するサブブロックに含まれた最大ＲＵより大きい場合、第１のフィールドにより指示されたＲＵは、サブブロックの組み合わせまたはセグメントの組み合わせである。
【０１０３】
ＰＰＤＵを受信した後、ＳＴＡは、ＳＴＡが属するサブブロックの第１のフィールドを取得し、第１のフィールドを使用して、ＳＴＡに割り当てられたＲＵを決定する。ＲＵは、第１のフィールドに対応するサブブロック、サブブロックの組み合わせ、またはセグメントの組み合わせである。
［実施形態１］
【０１０４】
具体的には、図１２は、本願の一実施形態に係るリソースユニット指示方法のフローチャートである。図１２に示されるように、方法は以下の段階を含む。
【０１０５】
段階Ｓ１２０１：ＡＰはＰＰＤＵを生成し、ここで、ＰＰＤＵの伝送帯域幅はＭ個のサブブロックに分割され、Ｍは１より大きい整数であり、伝送帯域幅は８０ＭＨｚより大きいまたはそれに等しく、ＰＰＤＵはＭ個の第１のフィールドを含み、Ｍ個の第１のフィールドはＭ個のサブブロックと１対１の対応関係にあり、第１のフィールドは対応するサブブロック上で伝送され、第１のフィールドは、ＡＰにより複数のＳＴＡのうち少なくとも１つに割り当てられたＲＵを指示するのに使用される。
【０１０６】
段階Ｓ１２０２：ＡＰはＰＰＤＵを複数のＳＴＡに送信する。
【０１０７】
ＰＰＤＵを受信するステーションは、第１のフィールドに基づいてＰＰＤＵのデータフィールドを解析し得る。具体的には、ＰＰＤＵを受信するステーションは、第１のフィールドに基づいて、ＳＴＡのデータが搬送される特定のＲＵを決定し得る。さらに、ＳＴＡは、対応するＲＵにおけるＳＴＡのデータを受信および解析し得る。
【０１０８】
任意選択的に、８０ＭＨｚのサブブロックユニットにおいて、サブブロックは、８０２．１１ａｘ／ａｃ規格における「セグメント（Ｓｅｇｍｅｎｔｓ，Ｓｅｇ）」と理解される。１６０ＭＨｚまたはそれより広い帯域幅のサブブロックユニットにおいて、サブブロックは部分（ｐａｒｔ）であり、サブブロックは少なくとも１つのセグメントを含む。
【０１０９】
任意選択的に、本願のこの実施形態において、ＰＰＤＵはプリアンブル部分とデータフィールド部分とを含む。プリアンブル部分はＭ個の第１のフィールドを含む（第１のフィールドは各サブブロックのＥＨＴ−ＳＩＧ−Ｂとして理解されてもよく、または、ＥＨＴ−ＳＩＧ−Ｂにおけるリソースユニット割り当てサブフィールドとして理解されてもよい。便宜上、第１のフィールドは、以下ではＥＨＴ−ＳＩＧ−Ｂにおけるリソースユニット割り当てサブフィールドとみなされ、リソースユニット指示方法を説明する）。任意選択的に、ＰＰＤＵはさらに、Ｍ個の第２のフィールドを含み得る（第２のフィールドはＥＨＴ−ＳＩＧ−Ａとして理解されてよい）。
【０１１０】
さらに、上記のように、第１のフィールドは、ＡＰにより複数のＳＴＡのうち少なくとも１つに割り当てられたＲＵを指示するのに使用される。第１のフィールドにより指示されるＲＵが、第１のフィールドに対応するサブブロックに含まれた最大ＲＵより小さいまたはそれに等しい場合、第１のフィールドにより指示されたＲＵは、第１のフィールドに対応するサブブロックに位置付けられる。第１のフィールドにより指示されるＲＵが、第１のフィールドに対応するサブブロックに含まれた最大ＲＵより大きい場合、第１のフィールドにより指示されるＲＵは、複数のサブブロックを含むサブブロックの組み合わせであるか、または、第１のフィールドにより指示されるＲＵは、複数のサブブロックに含まれた全部または一部のセグメントを含むセグメントの組み合わせである。例えば、ＳＴＡ１およびＳＴＡ２はサブブロック１に対応し、ＳＴＡ１およびＳＴＡ２に割り当てられたＲＵがサブブロック１における最大ＲＵより小さい場合、ＡＰは、サブブロック１に対応する第１のフィールドを使用して、ＳＴＡ１およびＳＴＡ２に割り当てられたＲＵがサブブロック１における第１の２４２トーンのＲＵであることを指示する。別の例の場合、ＳＴＡ３およびＳＴＡ４はサブブロック２に対応し、ＳＴＡ３およびＳＴＡ４に割り当てられたＲＵがサブブロック２における最大ＲＵより大きい場合、ＡＰは、サブブロック２に対応する第１のフィールドを使用して、ＳＴＡ３およびＳＴＡ４に割り当てられたＲＵがサブブロック１およびサブブロック２を含むサブブロックの組み合わせＲＵであることを指示する。
【０１１１】
以下ではさらに、以下の例１および例２を使用することにより、リソースユニット指示方法を説明する。
【０１１２】
例１
【０１１３】
以下では、ＰＰＤＵの伝送帯域幅が３２０ＭＨｚでありＭ＝４である（８０ＭＨｚのサブブロックユニットにおいて、帯域幅全体は４つのサブブロックに分割される）例を使用することにより、リソースユニット指示方法を説明する。
【０１１４】
図１３は、本願の一実施形態に係る、８０ＭＨｚのサブブロックユニットにおける３２０ＭＨｚの帯域幅の概略図である。図１３に示されるように、３２０ＭＨｚの帯域幅は、Ｐａｒｔ１、Ｐａｒｔ２、Ｐａｒｔ３およびＰａｒｔ４の４つのサブブロックに分割される。各サブブロックにおいて、ＡＰは、ＳＴＡが属するサブブロックのＳＴＡにして対応するＰ２０、Ｓ２０およびＳ４０チャネルを構成する。帯域幅全体は複数の（一時的な）Ｐ２０チャネルを有するとみなされ得る。
【０１１５】
上記のように、第１のフィールドは、ＡＰにより複数のＳＴＡのうち少なくとも１つに割り当てられたＲＵを指示するのに使用される。具体的には、図１４は、本願の一実施形態に係る、（２つのＣＣを含む）８０ＭＨｚのサブブロックユニットにおけるＥＨＴ−ＳＩＧ−Ｂの概略図である。図１４に示されるように、各サブブロックは４つのチャネルと２つのＣＣとを含む。Ｐａｒｔ１において、ＣＣ１１は、以下の情報を搬送する：Ｐａｒｔ１の第１の２４２トーンのＲＵおよび第３の２４２トーンのＲＵの範囲内における、リソースユニット割り当てサブフィールド（Ｐａｒｔ１に対応するそれぞれの第１のフィールド）、および、対応する２４２トーンのＲＵ範囲に割り当てられたＳＴＡのＳＴＡ毎の情報。ＣＣ１２は、以下の情報を搬送する：Ｐａｒｔ１の第２の２４２トーンのＲＵおよび第４の２４２トーンのＲＵの範囲内における、リソースユニット割り当てサブフィールド（Ｐａｒｔ１に対応するそれぞれの第１のフィールド）、および、対応する２４２トーンのＲＵ範囲に割り当てられたＳＴＡのＳＴＡ毎の情報。Ｐａｒｔ２において、ＣＣ２１は、以下の情報を搬送する：Ｐａｒｔ２の第５の２４２トーンのＲＵおよび第７の２４２トーンのＲＵの範囲内のリソースユニット割り当てサブフィールド（Ｐａｒｔ２に対応する第１のフィールド）、および、対応する２４２トーンのＲＵ範囲に割り当てられたＳＴＡのＳＴＡ毎の情報。ＣＣ２２は、以下の情報を搬送する：Ｓｅｇ２の第６の２４２トーンのＲＵおよび第８の２４２トーンのＲＵの範囲内のリソースユニット割り当てサブフィールド（Ｐａｒｔ２に対応する第１のフィールド）、および、対応する２４２トーンのＲＵ範囲に割り当てられたＳＴＡのＳＴＡ毎の情報。Ｐａｒｔ３において、ＣＣ３１は、以下の情報を搬送する：Ｓｅｇ３の第９の２４２トーンのＲＵおよび第１１の２４２トーンのＲＵの範囲内のリソースユニット割り当てサブフィールド（Ｐａｒｔ３に対応する第１のフィールド）、および、対応する２４２トーンのＲＵ範囲に割り当てられたＳＴＡのＳＴＡ毎の情報。ＣＣ３２は、以下の情報を搬送する：Ｓｅｇ３の第１０の２４２トーンのＲＵおよび第１２の２４２トーンのＲＵの範囲内のリソースユニット割り当てサブフィールド（Ｐａｒｔ３に対応する第１のフィールド）、および、対応する２４２トーンのＲＵ範囲に割り当てられたＳＴＡのＳＴＡ毎の情報。Ｐａｒｔ４において、ＣＣ４１は、以下の情報を搬送する：Ｓｅｇ３の第１３の２４２トーンのＲＵおよび第１５の２４２トーンのＲＵの範囲内のリソースユニット割り当てサブフィールド（Ｐａｒｔ４に対応する第１のフィールド）、および、対応する２４２トーンのＲＵ範囲に割り当てられたＳＴＡのＳＴＡ毎の情報。ＣＣ４２は、以下の情報を搬送する：Ｓｅｇ４の第１４の２４２トーンのＲＵおよび第１６の２４２トーンのＲＵの範囲内のリソースユニット割り当てサブフィールド（Ｐａｒｔ４に対応する第１のフィールド）、および、対応する２４２トーンのＲＵ範囲に割り当てられたＳＴＡのＳＴＡ毎の情報。
【０１１６】
第１の２４２トーンのＲＵから第１６の２４２トーンのＲＵは、ＰＰＤＵの帯域幅全体に対して説明されていることに留意されたい。
【０１１７】
図１４は２つのＣＣを含み、実際には、代替的に使用され得る４つのＣＣを含むことに留意されたい。具体的には、図１５は、本願の一実施形態に係る、（４つのＣＣを含む）８０ＭＨｚのサブブロックユニットにおけるＥＨＴ−ＳＩＧ−Ｂの概略図である。図１５に示されるように、この場合、各ＣＣは、オーバヘッドをさらに減らすために、１つの２４２トーンのＲＵのみの範囲内のリソースユニット割り当てサブフィールドを指示する必要がある。
【０１１８】
リソースユニット割り当てサブフィールドの場合、ＳＴＡに割り当てられたＲＵのサイズが９９６トーンのＲＵ（すなわち、８０ＭＨｚのサブブロックユニットにおける最大ＲＵ）より小さいまたはそれに等しい場合、表２に示されるリソースユニットサブフィールドは、リソースを指示するのに使用され得る。
【０１１９】
ＳＴＡに割り当てられたＲＵのサイズが９９６トーンのＲＵより大きい場合、リソースは、以下の方式のいずれかで指示され得る：
【０１２０】
第１の方式において、一部または全部のサブブロックの組み合わせＲＵは、予約（Ｒｅｓｅｒｖｅｄ）フィールドを使用することにより指示される。
【０１２１】
具体的には、リソースユニット割り当てサブフィールドにより指示されるＲＵがサブブロックの組み合わせである場合、リソースユニット割り当てサブフィールドとサブブロックの組み合わせＲＵとの間の対応関係は、表３に示される少なくとも１つのエントリーを含む：
［表３］
【表５】
2021532660.tif 000007
【０１２２】
Ｐａｒｔ１、Ｐａｒｔ２、Ｐａｒｔ３およびＰａｒｔ４は、４つの異なるサブブロックである。
【０１２３】
任意選択的に、第１の値、第２の値、第３の値、第４の値、第５の値、第６の値、第７の値、第８の値、第９の値、第１０の値および第１１の値の長さは、全て８ビットである。言い換えれば、リソースユニット割り当てサブフィールドは８ビットであり得る。
【０１２４】
リソースユニット割り当てサブフィールドとサブブロックの組み合わせとの間のマッピング関係は変化し得、本願のこの実施形態に列挙された事例に限定されないことに留意されたい。例えば、マッピング関係は、代替的に以下の通りであり得る：リソースユニット割り当てサブフィールドが第１の値である場合、サブブロックの組み合わせはＰａｒｔ１とＰａｒｔ３との組み合わせである。リソースユニット割り当てサブフィールドが第２の値である場合、サブブロックの組み合わせはＰａｒｔ１とＰａｒｔ２との組み合わせである。他の代替的な事例も、本願の実施形態の保護範囲に含まれることが理解されよう。表に使用されているサブブロック識別子は、サブブロックの論理識別子である。通常、サブブロック識別子１（Ｐａｒｔ１）は、プライマリ２０ＭＨｚチャネルを含む一番低い周波数８０ＭＨｚチャネルを指示し、サブブロック識別子２（Ｐａｒｔ２）は、Ｐａｒｔ１に隣接する２番目に低い周波数８０ＭＨｚチャネルを指示し、サブブロック識別子３（Ｐａｒｔ３）は、Ｐａｒｔ２に隣接するより高い周波数８０ＭＨｚチャネルを指示し、サブブロック識別子４（Ｐａｒｔ４）は、Ｐａｒｔ３に隣接する一番高い周波数８０ＭＨｚチャネルを指示する。前述の事項は、サブブロック識別子とチャネルとの間の一般的なマッピング関係を説明する。サブブロック識別子とチャネルとの間の別のマッピング関係も存在する。これは、本願において限定されるものではない。
【０１２５】
加えて、前述の表は、４つのサブブロックの全ての可能な組み合わせの事例を列挙する。実際の適用においては、前述の表における一部の組み合わせの事例のみが含まれ得る。一例において、リソースユニット割り当てサブフィールドは、周波数領域が連続的なサブブロックの組み合わせであり得る。例えば、前述の１１個の組み合わせの事例のうち６個のみが含まれ得る：Ｐａｒｔ１＋Ｐａｒｔ２、Ｐａｒｔ２＋Ｐａｒｔ３、Ｐａｒｔ３＋Ｐａｒｔ４、Ｐａｒｔ１＋Ｐａｒｔ２＋Ｐａｒｔ３、Ｐａｒｔ２＋Ｐａｒｔ３＋Ｐａｒｔ４、およびＰａｒｔ１＋Ｐａｒｔ２＋Ｐａｒｔ３＋Ｐａｒｔ４。
【０１２６】
例えば、リソースユニット割り当てサブフィールドと指示されたサブブロックの組み合わせＲＵとの間の対応関係の例は、表４に示される。
［表４］
【表６】
2021532660.tif 000008
【０１２７】
例えば、サブブロックの組み合わせＰａｒｔ１＋Ｐａｒｔ２が少なくとも１つのＳＴＡに割り当てられ、そのサイズが２＊９９６トーンであるとき、リソースユニット割り当てサブフィールドの値は０１１１０１００であり得る。
【０１２８】
上記のように、リソースユニット割り当てサブフィールドは、少なくとも１つのＳＴＡに割り当てられたＲＵを指示するのに使用される。さらに、ＥＨＴ−ＳＩＧ−Ｂは指示情報を含み得、指示情報は、少なくとも１つのＳＴＡの数、すなわち、リソースユニット割り当てサブフィールドにより指示されるＲＵにおいてデータを伝送するＳＴＡの数を指示するのに使用される。またさらに、リソースユニット割り当てサブフィールドにより指示されるＲＵがサブブロックの組み合わせである場合、指示情報の指示方式は以下の２つの事例を含む：
【０１２９】
第１の事例において、各サブブロックに対して、サブブロックに含まれた全てのＣＣは同じ指示情報を保持し、指示情報は、リソースユニット割り当てサブフィールドにより指示されるサブブロックの組み合わせＲＵにおいてデータを伝送するＳＴＡの数を指示するのに使用される。
【０１３０】
第２の事例において、サブブロックに対して、サブブロックは、複数のＣＣを搬送し、全てＣＣは異なる指示情報を保持し、各ＣＣの指示情報により指示されたＳＴＡの数は、サブブロックの組み合わせＲＵにおいてデータを伝送するＳＴＡの数の一部であり、各ＣＣは、この一部のＳＴＡのユーザ情報フィールドを含む。サブブロックはＣＣ１およびＣＣ２を含み、ＣＣ１は第１の指示情報を保持してよく、ＣＣ２は第２の指示情報を保持し、第１の指示情報および第２の指示情報は、リソースユニット割り当てサブフィールドにより指示されるサブブロックの組み合わせＲＵにおいてデータを伝送するＳＴＡの数を併せて指示すると仮定される。例えば、その数は、第１の指示情報により指示されたＳＴＡの数と、第２の指示情報により指示されたＳＴＡの数との和であり得る。例えば、５つのＳＴＡはＲＵにおいて伝送を実行し、ＣＣ１は５つのＳＴＡのうち３つのユーザ情報フィールドを含み、第１の指示情報により指示されるＳＴＡの数は３であり、ＣＣ２は３つのＳＴＡ以外の２つのＳＴＡのユーザ情報フィールドを含み、第２の指示情報により指示されるＳＴＡの数は２である。したがって、第１の指示情報および第２の指示情報により併せて指示されるＳＴＡの数は５である。
【０１３１】
リソースユニット割り当てサブフィールドにより指示されるＲＵがＰａｒｔ１とＰａｒｔ２との組み合わせ（Ｐａｒｔ１＋Ｐａｒｔ２）を含む例が、説明に使用される。図１６は、本願の一実施形態に係る、サブブロックの組み合わせベースのＥＨＴ−ＳＩＧ−Ｂの概略図である。図１６に示されるように、ＥＨＴ−ＳＩＧ−Ｂは、サブブロックの組み合わせＰａｒｔ１＋Ｐａｒｔ２を指示するのに使用されるリソースユニットサブフィールド、ならびに指示情報を含み、指示情報は、Ｐａｒｔ１＋Ｐａｒｔ２を使用することによりデータを伝送するＳＴＡの数を指示するのに使用される。指示情報の指示方式は前述の２つの方式であり得る。ここでは再び詳細を説明しない。
【０１３２】
ＥＨＴ−ＳＩＧ−Ｂが、サブブロックの組み合わせＰａｒｔ１＋Ｐａｒｔ２を指示するのに使用されるリソースユニットサブフィールドを含んでいるので、第２の、第３のおよび第４の２４２トーンのＲＵのリソースユニット割り当てサブフィールド（図において破線ボックスにより指示される）は、サブブロックの組み合わせＰａｒｔ１＋Ｐａｒｔ２を繰り返し指示する必要がないことに留意されたい。確かに、一貫したフィールドフォーマットを保証すべく、第２の、第３のおよび第４の２４２トーンのＲＵのリソースユニット割り当てサブフィールドは、サブブロックの組み合わせＰａｒｔ１＋Ｐａｒｔ２を代替的に繰り返し指示し得る。言い換えれば、ＣＣ１１上の２つのリソースユニットサブフィールドは同じ値を有しており、２つのリソースユニットサブフィールドにより指示されるＲＵは両方、Ｐａｒｔ１＋Ｐａｒｔ２である。これは、本願において限定されるものではない。この場合、中央２６トーンのＲＵは存在せず、したがって、０に設定され、２６トーンのＲＵがいずれのＳＴＡにも個別に割り当てられていないことを指示し得る。
【０１３３】
これに基づいて、３２０ＭＨｚの伝送帯域幅の場合、既存の８０２．１１ａｘにおける各ＣＣは、８個の２４２トーンのＲＵの範囲内のリソースユニット割り当てサブフィールドを含む。しかしながら、例１の第１の方式において、ＡＰは、サブブロックに基づいてリソースを指示し、各ＣＣは、２つの２４２トーンのＲＵのみの範囲内のリソースユニット割り当てサブフィールドを含む。したがって、本願に提供される指示方式のリソースオーバヘッドは、８０２．１１ａｘにおける指示方式のリソースオーバヘッドと比較して４分の１に減少する。
【０１３４】
第２の方式において、サブブロックの組み合わせＲＵに加えて、リソースユニット割り当てサブフィールドは、サブブロックの組み合わせＲＵにおいてデータを伝送するＳＴＡの数（ユーザの数）を指示するのに使用される。リソースユニット割り当てサブフィールドとサブブロックの組み合わせＲＵとサブブロックの組み合わせにおいてデータを伝送するＳＴＡの数との間の対応関係は、以下のエントリーのうち少なくとも１つを含み、具体的には表５に示される。
［表５］
【表７】
2021532660.tif 000009
【表８】
2021532660.tif 000010
【表９】
2021532660.tif 000011
【０１３５】
Ｐａｒｔ１、Ｐａｒｔ２、Ｐａｒｔ３およびＰａｒｔ４は、４つの異なるサブブロックである。
【０１３６】
任意選択的に、第１の値から第８８の値の長さは全て９ビットである。言い換えれば、リソースユニット割り当てサブフィールドは９ビットであり得る。
【０１３７】
任意選択的に、表５における第１の数、第２の数、第３の数、第４の数、第５の数、第６の数、第７の数および第８の数の値は、１より大きいまたはそれに等しい、且つ８より小さいまたはそれに等しい整数である。例えば、第１の数は１であり得る。表５に示されるマッピング関係は、全ての対応関係のみを示す。
【０１３８】
さらに、リソースユニット割り当てサブフィールドとサブブロックの組み合わせとＳＴＡの数との間のマッピング関係は変化し得、本願のこの実施形態に列挙された事例に限定されない。例えば、マッピング関係は、代替的に以下の通りであり得る：リソースユニット割り当てサブフィールドが第１の値である場合、サブブロックの組み合わせはＰａｒｔ１とＰａｒｔ３との組み合わせであり、ユーザの数は第１の数である。リソースユニット割り当てサブフィールドが第２の値である場合、サブブロックの組み合わせはＰａｒｔ１とＰａｒｔ２との組み合わせであり、ユーザの数は第１の数である。他の代替的な事例も、本願の実施形態の保護範囲に含まれることが理解されよう。表に使用されているサブブロック識別子は、サブブロックの論理識別子である。通常、サブブロック識別子１（Ｐａｒｔ１）は、プライマリ２０ＭＨｚチャネルを含む一番低い周波数８０ＭＨｚチャネルを指示し、サブブロック識別子２（Ｐａｒｔ２）は、Ｐａｒｔ１に隣接する２番目に低い周波数８０ＭＨｚチャネルを指示し、サブブロック識別子３（Ｐａｒｔ３）は、Ｐａｒｔ２に隣接するより高い周波数８０ＭＨｚチャネルを指示し、サブブロック識別子４（Ｐａｒｔ４）は、Ｐａｒｔ３に隣接する一番高い周波数８０ＭＨｚチャネルを指示する。前述の事項は、サブブロック識別子とチャネルとの間の一般的なマッピング関係を説明する。サブブロック識別子とチャネルとの間の別のマッピング関係も存在する。これは、本願において限定されるものではない。
【０１３９】
加えて、前述の表は、４つのサブブロックの全ての可能な組み合わせの事例を列挙する。実際の適用においては、前述の表における全ての可能な組み合わせの事例の一部のみが含まれ得る。一例において、リソースユニット割り当てサブフィールドは、周波数領域が連続的なサブブロックの組み合わせであり得る。例えば、前述の１１個の組み合わせの事例のうち６個のみが含まれ得る：Ｐａｒｔ１＋Ｐａｒｔ２、Ｐａｒｔ２＋Ｐａｒｔ３、Ｐａｒｔ３＋Ｐａｒｔ４、Ｐａｒｔ１＋Ｐａｒｔ２＋Ｐａｒｔ３、Ｐａｒｔ２＋Ｐａｒｔ３＋Ｐａｒｔ４、およびＰａｒｔ１＋Ｐａｒｔ２＋Ｐａｒｔ３＋Ｐａｒｔ４。
【０１４０】
例えば、リソースユニット割り当てサブフィールドの値と指示されたサブブロックの組み合わせＲＵとユーザの数との間の対応関係の例が表６に示される。
［表６］
【表１０】
2021532660.tif 000012
【表１１】
2021532660.tif 000013
【０１４１】
ｘ４ｘ３ｘ２ｘ１ｘ０は、０と１との配置の組み合わせであり、ｘ４ｘ３ｘ２ｘ１ｘ０の値は、３２個の組み合わせ（０００００から１１１１１）のいずれかであり得る。例えば、ｘ４ｘ３ｘ２ｘ１ｘ０は００００である。同様に、ｘ７ｘ６ｘ５ｘ４ｘ３ｘ２ｘ１ｘ０は０と１との配置の組み合わせであり、ｘ７ｘ６ｘ５ｘ４ｘ３ｘ２ｘ１ｘ０の値は、２５６個の組み合わせ（００００００００から１１１１１１１１）のいずれかであり得る。例えば、ｘ７ｘ６ｘ５ｘ４ｘ３ｘ２ｘ１ｘ０は００００００００である。
【０１４２】
８ビットの指示がまだ使用されているとき、予約エントリーは、全ての事例を指示するのに十分ではなく、したがって、前述の事例の一部が指示され得ることが分かり得ることに留意されたい。別の実施形態において、リソースユニット割り当てサブフィールドは８ビットから９ビットに拡張され得る（表６の括弧内の０または１は１ビットが追加されたことを指示する）。リソースユニット割り当てサブフィールドが９ビットである場合、リソースユニット割り当てサブフィールドは、表６に列挙された全ての対応関係に対応し得る。さらに、サブブロックの組み合わせにおいてデータを伝送するユーザの数は、８より大きく（例えば、１６）拡張され得る。
【０１４３】
任意選択的に、サブブロックの組み合わせは、リソースユニット割り当てサブフィールドに対応するサブブロックを含む。例えば、リソースユニット割り当てサブフィールドに対応するサブブロックがＰａｒｔ１であるとき、サブブロックの組み合わせは、Ｐａｒｔ１＋Ｐａｒｔ２、Ｐａｒｔ１＋Ｐａｒｔ３、Ｐａｒｔ１＋Ｐａｒｔ４、またはＰａｒｔ１＋Ｐａｒｔ２＋Ｐａｒｔ３などであり得る。したがって、異なるリソース指示方法が異なるサブブロックに対して設計され得る。表７に示されるように、リソースユニット割り当てサブフィールドにより指示されるサブブロックの組み合わせは、リソースユニット割り当てサブフィールドに対応するサブブロックを含み、その結果、リソースオーバヘッドがさらに減少し得る。
［表７］
【表１２】
2021532660.tif 000014
【表１３】
2021532660.tif 000015
【０１４４】
Ｐａｒｔ１、Ｐａｒｔ２、Ｐａｒｔ３およびＰａｒｔ４は、４つの異なるサブブロックである。
【０１４５】
任意選択的に、第１の値、第２の値、第３の値、第４の値、第５の値、第６の値、第７の値、第８の値、第９の値、および第１０の値の長さは、全て９ビットである。言い換えれば、リソースユニット割り当てサブフィールドは９ビットであり得る。
【０１４６】
任意選択的に、表７における第１の数、第２の数、第３の数、第４の数、第５の数、第６の数、第７の数、第８の数、第９の数および第１０の数の値は、１より大きいまたはそれに等しい、且つ８より小さいまたはそれに等しい整数である。例えば、第１の数は１であり得る。表７に示されるマッピング関係は、一部の対応関係のみを示す。例えば、表７はさらに拡張され得る。例えば、表７は第１１の値を含み、対応するサブブロックの組み合わせとユーザの数とはＰａｒｔ１＋Ｐａｒｔ２と第１１の数とであり、第１１の数は２であり得る。
【０１４７】
例えば、リソースユニット割り当てサブフィールドの値と指示されたサブブロックの組み合わせＲＵとＳＴＡの数との間の対応関係の例が表８に示される。
［表８］
【表１４】
2021532660.tif 000016
【表１５】
2021532660.tif 000017
【０１４８】
これに基づいて、３２０ＭＨｚの伝送帯域幅の場合、既存の８０２．１１ａｘにおける各ＣＣは、８個の２４２トーンのＲＵの範囲内のリソースユニット割り当てサブフィールドを含む。しかしながら、例１の第２の方式において、ＡＰは、サブブロックに基づいてリソースを指示し、各ＣＣは、２つの２４２トーンのＲＵのみの範囲内のリソースユニット割り当てサブフィールドを含む。したがって、本願に提供される指示方式のリソースオーバヘッドは、８０２．１１ａｘにおける指示方式のリソースオーバヘッドと比較して４分の１に減少する。さらに、リソースユニット割り当てサブフィールドにより指示されるサブブロックの組み合わせは、リソースユニット割り当てサブフィールドに対応するサブブロックを含み、その結果、リソースオーバヘッドがさらに減少し得る。
【０１４９】
第３の方式において、サブブロックの組み合わせは圧縮モードで指示される。具体的には、ＰＰＤＵは各サブブロックに対応するＥＨＴ−ＳＩＧ−Ａと各サブブロックに対応するＥＨＴ−ＳＩＧ−Ｂとを含む。ＥＨＴ−ＳＩＧ−Ａは、ＥＨＴ−ＳＩＧ−Ａが属するサブブロックが圧縮モードを使用することを指示する指示情報を保持する。ＥＨＴ−ＳＩＧ−Ｂは、リソースユニット割り当てサブフィールドを含み、リソースユニット割り当てサブフィールドは、サブブロックの組み合わせを指示するのに使用される。任意選択的に、例えば、図１７は、本願の一実施形態に係る、サブブロックの組み合わせベースのＥＨＴ−ＳＩＧ−Ｂの概略図である。図１７に示されるように、ＥＨＴ−ＳＩＧ−ＢはＣＣ１１およびＣＣ１２の各々におけるリソースユニット割り当てサブフィールドを含み、リソースユニット割り当てサブフィールドは、サブブロックの組み合わせを指示するのに使用される。さらに、ＥＨＴ−ＳＩＧ−Ｂは、ＣＣ１１およびＣＣ１２に指示情報をさらに含み、指示情報は、サブブロックの組み合わせにおいてデータを伝送するＳＴＡの数を指示するのに使用される。代替的に、ＥＨＴ−ＳＩＧ−Ｂはそれぞれ、ＣＣ１１およびＣＣ１２に第１の指示情報および第２の指示情報を含み、第１の指示情報および第２の指示情報は、サブブロックの組み合わせにおいてデータを伝送するＳＴＡの数を併せて指示するのに使用される。
【０１５０】
さらに、リソースユニット割り当てサブフィールドは表９に示され、一部または全部の可能なサブブロックの組み合わせを指示する。任意選択的に、指示情報がさらに含まれ得る。加えて、指示情報は、一様な指示を実装すべく、リソースユニット割り当てサブフィールドと代替的に結合され得る。サブブロック全体は、ＳＴＡに割り当てられたサブブロック全体が１つのＲＵとしてＳＴＡに割り当てられたことを指示する。
［表９］
【表１６】
2021532660.tif 000018
【０１５１】
Ｐａｒｔ１、Ｐａｒｔ２、Ｐａｒｔ３およびＰａｒｔ４は、４つの異なるサブブロックである。
【０１５２】
任意選択的に、第１の値、第２の値、第３の値、第４の値、第５の値、第６の値、第７の値、第８の値、第９の値、および第１２の値の長さは、全て８ビットである。言い換えれば、リソースユニット割り当てサブフィールドは８ビットであり得る。
【０１５３】
例えば、リソースユニット割り当てサブフィールドの値と指示されたサブブロックの組み合わせＲＵとの間の対応関係の例が表１０に示される。
［表１０］
【表１７】
2021532660.tif 000019
【０１５４】
例１の第３の方式において、圧縮モードの指示方式が使用され、その結果、リソースオーバヘッドが減少し得る。さらに、サブブロックの組み合わせの指示方法が、この方式で設計される。
【０１５５】
例２：リソースユニット指示方法は、ＰＰＤＵの伝送帯域幅が３２０ＭＨｚでありＭ＝２である（帯域幅全体が、１６０ＭＨｚのサブブロックユニットで２つのサブブロックに分割される）例を使用することにより説明される。
【０１５６】
図１８は、本願の一実施形態に係る、１６０ＭＨｚのサブブロックユニットにおける３２０ＭＨｚの帯域幅の概略図である。図１８に示されるように、３２０ＭＨｚの帯域幅は、Ｐａｒｔ１とＰａｒｔ２との２つのサブブロックに分割される。各サブブロックは、（８０ＭＨｚのセグメントユニットの）２つのセグメントを含む。各サブブロックにおいて、対応するＰ２０、Ｓ２０、Ｓ４０およびＳ８０チャネルは、ＳＴＡが属するサブブロックにおけるＳＴＡに対して構成される。帯域幅全体は２つの（一時的な）Ｐ２０チャネルを有するとみなされ得る。各サブブロックは、２つのＣＣまたは４つのＣＣを含む。例えば、図１９Ａ、図１９Ｂおよび図１９Ｃにおける各サブブロックは２つのＣＣを含み、図２０Ａおよび図２０Ｂにおける各サブブロックは４つのＣＣを含む。図１９Ａ、図１９Ｂおよび図１９Ｃは、本願の一実施形態に係る、１６０ＭＨｚのサブブロックユニット（２つのＣＣ）におけるＥＨＴ−ＳＩＧ−Ｂの概略図である。図２０Ａおよび図２０Ｂは、本願の一実施形態に係る、１６０ＭＨｚのサブブロックユニット（４つのＣＣ）におけるＥＨＴ−ＳＩＧ−Ｂの概略図である。
【０１５７】
リソースユニット割り当てサブフィールドについて、ＳＴＡに割り当てられたＲＵのサイズが２＊９９６トーン（すなわち、１６０ＭＨｚのサブブロックユニットにおける最大ＲＵ）より小さいまたはそれに等しい場合、表２に示される対応するエントリーが、リソースユニットを指示するのに使用され、２＊９９６トーンのＲＵの指示は、補足される必要がある。詳細については、表１１を参照されたい。
［表１１］
【表１８】
2021532660.tif 000020
【０１５８】
ＳＴＡに割り当てられたＲＵのサイズが２＊９９６トーンのＲＵより大きい場合、リソースは、以下の方式のいずれかで指示され得る：
【０１５９】
第１の方式において、一部または全部のセグメントの組み合わせは、予約（Ｒｅｓｅｒｖｅｄ）フィールドを使用することにより指示される。具体的には、リソースユニット割り当てサブフィールドにより指示されるＲＵがセグメントの組み合わせである場合、リソースユニット割り当てサブフィールドとセグメントの組み合わせＲＵとの間の対応関係は、表１２に示される少なくとも１つのエントリーを含む：
［表１２］
【表１９】
2021532660.tif 000021
【０１６０】
Ｓｅｇ１、Ｓｅｇ２、Ｓｅｇ３およびＳｅｇ４は、４つの異なるセグメントである。
【０１６１】
任意選択的に、第１の値、第２の値、第３の値、第４の値および第５の値の長さは、全て８ビットである。言い換えれば、リソースユニット割り当てサブフィールドは８ビットであり得る。
【０１６２】
リソースユニット割り当てサブフィールドとセグメントの組み合わせとの間のマッピング関係は変化し得、本願のこの実施形態に列挙された事例に限定されないことに留意されたい。例えば、マッピング関係は、代替的に以下の通りであり得る：リソースユニット割り当てサブフィールドが第１の値である場合、セグメントの組み合わせは、Ｓｅｇ１とＳｅｇ２とＳｅｇ４との組み合わせである。リソースユニット割り当てサブフィールドが第２の値である場合、セグメントの組み合わせは、Ｓｅｇ１とＳｅｇ２とＳｅｇ３との組み合わせである。他の代替的な事例も、本願の実施形態の保護範囲に含まれることが理解されよう。表に使用されているセグメント識別子は、セグメントの論理識別子である。通常、セグメント識別子１（Ｓｅｇ１）は、プライマリ２０ＭＨｚチャネルを含む一番低い周波数８０ＭＨｚチャネルを指示し、セグメント識別子２（Ｓｅｇ２）は、Ｓｅｇ１に隣接する２番目に低い周波数８０ＭＨｚチャネルを指示し、セグメント識別子３（Ｓｅｇ３）は、Ｓｅｇ２に隣接するより高い周波数８０ＭＨｚチャネルを指示し、セグメント識別子４（Ｓｅｇ４）は、Ｓｅｇ３に隣接する一番高い周波数８０ＭＨｚチャネルを指示する。前述の事項は、セグメント識別子とチャネルとの間の一般的なマッピング関係を説明する。セグメント識別子とチャネルとの間の別のマッピング関係も存在する。これは、本願において限定されるものではない。
【０１６３】
加えて、前述の表は、４つのセグメントの全ての可能な組み合わせの事例を列挙する。実際の適用においては、前述の表における全ての可能な組み合わせの事例の一部のみが含まれ得る。一例において、リソースユニット割り当てサブフィールドは、周波数領域が連続的なセグメントの組み合わせであり得る。例えば、前述の５個の組み合わせの事例のうち２つのみが含まれ得、その２つは、Ｓｅｇ１＋Ｓｅｇ２＋Ｓｅｇ３およびＳｅｇ１＋Ｓｅｇ２＋Ｓｅｇ４である。
【０１６４】
例えば、リソースユニット割り当てサブフィールドの値と指示されたセグメントの組み合わせＲＵとの間の対応関係の例が表１３に示される。
［表１３］
【表２０】
2021532660.tif 000022
【０１６５】
上記のように、リソースユニット割り当てサブフィールドは、少なくとも１つのＳＴＡに割り当てられたＲＵを指示するのに使用される。さらに、ＥＨＴ−ＳＩＧ−Ｂは指示情報を含み得、指示情報は、少なくとも１つのＳＴＡの数、すなわち、リソースユニット割り当てサブフィールドにより指示されるＲＵにおいてデータを伝送するＳＴＡの数（ユーザの数）を指示するのに使用される。またさらに、リソースユニット割り当てサブフィールドにより指示されるＲＵがセグメントの組み合わせである場合、指示情報の保持方式は以下の２つの事例を含む：
【０１６６】
第１の事例において、各セグメントに対して、セグメントに含まれた各ＣＣは同じ指示情報を保持し、指示情報は、リソースユニット割り当てサブフィールドにより指示されるセグメントの組み合わせＲＵにおいてデータを伝送するＳＴＡの数を指示するのに使用される。
【０１６７】
第２の事例においては、セグメントについて、セグメントはＣＣ１およびＣＣ２を含み、ＣＣ１は第１の指示情報を保持してよく、ＣＣ２は第２の指示情報を保持し、第１の指示情報および第２の指示情報は、リソースユニット割り当てサブフィールドにより指示されるセグメントの組み合わせＲＵにおいてデータを伝送するＳＴＡの数を併せて指示すると仮定される。例えば、その数は、第１の指示情報により指示されたＳＴＡの数と、第２の指示情報により指示されたＳＴＡの数との和であり得る。
【０１６８】
リソースユニット割り当てサブフィールドにより指示されるＲＵがＳｅｇ１＋Ｓｅｇ２の組み合わせを含む例が、説明に使用される。
【０１６９】
図２１は、本願の一実施形態に係る、セグメントの組み合わせベースのＥＨＴ−ＳＩＧ−Ｂの概略図である。図２１に示されるように、ＥＨＴ−ＳＩＧ−Ｂは、セグメントの組み合わせＳｅｇ１＋Ｓｅｇ２を指示するのに使用されるリソースユニット割り当てサブフィールド、ならびに指示情報を含み、指示情報は、Ｓｅｇ１＋Ｓｅｇ２を使用することによりデータを伝送するＳＴＡの数を指示するのに使用される。ＥＨＴ−ＳＩＧ−Ｂが、セグメントの組み合わせＳｅｇ１＋Ｓｅｇ２を指示するのに使用されるリソースユニットサブフィールドを含んでいるので、第２の、第３の、第４の、第５の、第６の、第７のおよび第８の２４２トーンのＲＵのリソースユニット割り当てサブフィールド（図において破線ボックスにより指示される）は、セグメントの組み合わせＳｅｇ１＋Ｓｅｇ２を繰り返し指示する必要がないことに留意されたい。確かに、一貫したフィールドフォーマットを保証すべく、第２の、第３の、第４の、第５の、第６の、第７のおよび第８の２４２トーンのＲＵのリソースユニット割り当てサブフィールドは、セグメントの組み合わせＳｅｇ１＋Ｓｅｇ２を代替的に繰り返し指示し得る。これは、本願において限定されるものではない。この場合、中央２６トーンのＲＵは存在せず、したがって、０に設定され、２６トーンのＲＵがいずれのＳＴＡにも個別に割り当てられていないことを指示し得る。
【０１７０】
これに基づいて、３２０ＭＨｚの伝送帯域幅の場合、既存の８０２．１１ａｘにおける各ＣＣは、８個の２４２トーンのＲＵの範囲内のリソースユニット割り当てサブフィールドを含む。しかしながら、例２の第１の方式において、ＡＰは、セグメントに基づいてリソースを指示し、各ＣＣは、４つの２４２トーンのＲＵのみの範囲内のリソースユニット割り当てサブフィールドを含む。したがって、本願に提供される指示方式のリソースオーバヘッドは、８０２．１１ａｘにおける指示方式のリソースオーバヘッドと比較して２分の１に減少する。
【０１７１】
第２の方式において、セグメントの組み合わせＲＵに加えて、リソースユニット割り当てサブフィールドは、セグメントの組み合わせＲＵにおいてデータを伝送するＳＴＡの数を指示するのに使用される。リソースユニット割り当てサブフィールドとセグメントの組み合わせＲＵとセグメントの組み合わせにおいてデータを伝送するＳＴＡの数との間の対応関係は、以下のエントリーのうち少なくとも１つを含み、具体的には表１４に示される。
［表１４］
【表２１】
2021532660.tif 000023
【０１７２】
Ｓｅｇ１、Ｓｅｇ２、Ｓｅｇ３およびＳｅｇ４は、４つの異なるセグメントである。
【０１７３】
任意選択的に、第１の値、第２の値、第３の値、第４の値および第５の値の長さは、全て９ビットである。言い換えれば、リソースユニット割り当てサブフィールドは９ビットであり得る。
【０１７４】
任意選択的に、表１４における第１の数、第２の数、第３の数、第４の数および第５の数の値は、１より大きいまたはそれに等しい、且つ８より小さいまたはそれに等しい整数である。例えば、第１の数は１であり得る。表１４に示されるマッピング関係は、一部の対応関係のみを示す。例えば、表１４はさらに拡張され得る。例えば、表１４は第６の値を含み、対応するセグメントの組み合わせとＳＴＡの数とはＳｅｇ１＋Ｓｅｇ２＋Ｓｅｇ３と第６の数とであり、第６の数は２であり得る。
【０１７５】
さらに、リソースユニット割り当てサブフィールドとセグメントの組み合わせとＳＴＡの数との間のマッピング関係は変化し得、本願のこの実施形態に列挙された事例に限定されない。例えば、マッピング関係は、代替的に以下の通りであり得る：リソースユニット割り当てサブフィールドが第１の値である場合、セグメントの組み合わせは、Ｓｅｇ１とＳｅｇ３とＳｅｇ４との組み合わせであり、ＳＴＡの数は第７の数である。リソースユニット割り当てサブフィールドが第２の値である場合、セグメントの組み合わせは、Ｓｅｇ１とＳｅｇ２とＳｅｇ３との組み合わせであり、ＳＴＡの数は第８の数である。他の代替的な事例も、本願の実施形態の保護範囲に含まれることが理解されよう。表に使用されているセグメント識別子は、セグメントの論理識別子である。通常、セグメント識別子１（Ｓｅｇ１）は、プライマリ２０ＭＨｚチャネルを含む一番低い周波数８０ＭＨｚチャネルを指示し、セグメント識別子２（Ｓｅｇ２）は、Ｓｅｇ１に隣接する２番目に低い周波数８０ＭＨｚチャネルを指示し、セグメント識別子３（Ｓｅｇ３）は、Ｓｅｇ２に隣接するより高い周波数８０ＭＨｚチャネルを指示し、セグメント識別子４（Ｓｅｇ４）は、Ｓｅｇ３に隣接する一番高い周波数８０ＭＨｚチャネルを指示する。前述の事項は、セグメント識別子とチャネルとの間の一般的なマッピング関係を説明する。セグメント識別子とチャネルとの間の別のマッピング関係も存在する。これは、本願において限定されるものではない。
【０１７６】
加えて、前述の表は、４つのセグメントの一部の可能な組み合わせの事例を列挙する。実際の適用においては、前述の表における全ての可能な組み合わせの事例の一部のみ、または表１４に表示されていない対応関係が含まれ得る。一例において、リソースユニット割り当てサブフィールドは、周波数領域が連続的なセグメントの組み合わせであり得る。例えば、前述の５個の組み合わせの事例のうち２つのみが含まれ得、その２つは、Ｓｅｇ１＋Ｓｅｇ２＋Ｓｅｇ３およびＳｅｇ１＋Ｓｅｇ２＋Ｓｅｇ３＋Ｓｅｇ４である。
【０１７７】
例えば、リソースユニット割り当てサブフィールドの値と指示されたセグメントの組み合わせＲＵとＳＴＡの数との間の対応関係の例が表１５に示される。
［表１５］
【表２２】
2021532660.tif 000024
【０１７８】
８ビットの指示がまだ使用されているとき、予約エントリーは、全ての事例を指示するのに十分ではなく、したがって、前述の事例の一部が指示され得ることが分かり得ることに留意されたい。別の実施形態において、リソースユニット割り当てサブフィールドは８ビットから９ビットに拡張され得る（表１５の括弧内の０または１は１ビットが追加されたことを指示する）。リソースユニット割り当てサブフィールドが９ビットである場合、リソースユニット割り当てサブフィールドは、表１５に列挙された全ての対応関係に対応し得る。さらに、セグメントの組み合わせにおいてデータを伝送するユーザの数は、８より大きく（例えば、１６）拡張され得る。
【０１７９】
任意選択的に、セグメントの組み合わせは、リソースユニット割り当てサブフィールドに対応するセグメントを含む。例えば、リソースユニット割り当てサブフィールドに対応するセグメントがＳｅｇ１であるとき、リソースユニット割り当てサブフィールドにより指示されるセグメントの組み合わせはＳｅｇ２＋Ｓｅｇ３＋Ｓｅｇ４ではなく、Ｓｅｇ４に位置付けられたＳＴＡはＳｅｇ１＋Ｓｅｇ２＋Ｓｅｇ３に割り当てられない。したがって、異なる表は異なるセグメントに対して設計され得る。表１６に示されるように、リソースユニット割り当てサブフィールドにより指示されるセグメントの組み合わせは、リソースユニット割り当てサブフィールドに対応するセグメントを含み、その結果、リソースオーバヘッドがさらに減少し得る。
［表１６］
【表２３】
2021532660.tif 000025
【０１８０】
Ｓｅｇ１、Ｓｅｇ２、Ｓｅｇ３およびＳｅｇ４は、４つの異なるセグメントである。
【０１８１】
任意選択的に、第１の値、第２の値、第３の値、第４の値および第５の値の長さは、全て９ビットである。言い換えれば、リソースユニット割り当てサブフィールドは９ビットであり得る。
【０１８２】
任意選択的に、表１６における第１の数、第２の数、第３の数、第４の数および第５の数の値は、１より大きいまたはそれに等しい、且つ８より小さいまたはそれに等しい整数である。例えば、第１の数は１であり得る。表１６に示されるマッピング関係は、一部の対応関係のみを示す。例えば、表１６はさらに拡張され得る。例えば、表１６は第６の値を含み、対応するセグメントの組み合わせとＳＴＡの数とはＳｅｇ１＋Ｓｅｇ２＋Ｓｅｇ３と第７の数とであり、第７の数は２であり得る。
【０１８３】
例えば、リソースユニット割り当てサブフィールドの値と指示されたセグメントの組み合わせＲＵとＳＴＡの数との間の対応関係の例が表１７に示される。
［表１７］
【表２４】
2021532660.tif 000026
【０１８４】
これに基づいて、３２０ＭＨｚの伝送帯域幅の場合、既存の８０２．１１ａｘにおける各ＣＣは、８個の２４２トーンのＲＵの範囲内のリソースユニット割り当てサブフィールドを含む。しかしながら、例２の第２の方式において、ＡＰは、セグメントに基づいてリソースを指示し、各ＣＣは、４つの２４２トーンのＲＵのみの範囲内のリソースユニット割り当てサブフィールドを含む。したがって、本願に提供される指示方式のリソースオーバヘッドは、８０２．１１ａｘにおける指示方式のリソースオーバヘッドと比較して２分の１に減少する。さらに、リソースユニット割り当てサブフィールドにより指示されるセグメントの組み合わせは、リソースユニット割り当てサブフィールドに対応するセグメントを含み、その結果、リソースオーバヘッドがさらに減少し得る。
【０１８５】
第３の方式において、サブブロックの組み合わせは圧縮モードで指示される。具体的には、ＰＰＤＵは各サブブロックに対応するＥＨＴ−ＳＩＧ−Ａと各サブブロックに対応するＥＨＴ−ＳＩＧ−Ｂとを含む。ＥＨＴ−ＳＩＧ−Ａは、ＥＨＴ−ＳＩＧ−Ａが属するサブブロックが圧縮モードを使用することを指示する指示情報を保持する。ＥＨＴ−ＳＩＧ−Ｂは、リソースユニット割り当てサブフィールドを含み、リソースユニット割り当てサブフィールドは、サブブロックの組み合わせを指示するのに使用される。任意選択的に、例えば、図２２は、本願の一実施形態に係る、セグメントの組み合わせベースのＥＨＴ−ＳＩＧ−Ｂの概略図である。図２２に示されるように、ＥＨＴ−ＳＩＧ−ＢはＣＣ１およびＣＣ２の各々におけるリソースユニット割り当てサブフィールドを含み、リソースユニット割り当てサブフィールドは、セグメントの組み合わせを指示するのに使用される。さらに、ＥＨＴ−ＳＩＧ−Ｂは、ＣＣ１およびＣＣ２に指示情報をさらに含み、指示情報は、セグメントの組み合わせにおいてデータを伝送するＳＴＡの数を指示するのに使用される。代替的に、ＥＨＴ−ＳＩＧ−Ｂはそれぞれ、ＣＣ１およびＣＣ２において第１の指示情報および第２の指示情報を含み、第１の指示情報および第２の指示情報は、セグメントの組み合わせにおいてデータを伝送するＳＴＡの数を併せて指示するのに使用される。
【０１８６】
さらに、リソースユニット割り当てサブフィールドは表１８に示され、一部または全部の可能なセグメントの組み合わせを指示する。任意選択的に、指示情報がさらに含まれ得る。加えて、指示情報は、一様な指示を実装すべく、セグメントの組み合わせの指示サブフィールドと代替的に結合され得る。セグメント全体は、ＳＴＡに割り当てられたセグメント全体が１つのＲＵとしてＳＴＡに割り当てられたことを指示する。
［表１８］
【表２５】
2021532660.tif 000027
【０１８７】
Ｓｅｇ１、Ｓｅｇ２、Ｓｅｇ３およびＳｅｇ４は、４つの異なるセグメントである。
【０１８８】
任意選択的に、第１の値、第２の値、第３の値、第４の値、第５の値および第６の値の長さは、全て８ビットである。言い換えれば、リソースユニット割り当てサブフィールドは８ビットであり得る。
【０１８９】
前述の表は、セグメントの全ての可能な組み合わせを列挙していることが理解されよう。実際の適用においては、全ての可能な組み合わせの一部のみが使用され得る。
【０１９０】
例えば、リソースユニット割り当てサブフィールドの値と指示されたセグメントの組み合わせＲＵとの間の対応関係の例が表１９に示される。
［表１９］
【表２６】
2021532660.tif 000028
【０１９１】
例２の第３の方式において、圧縮モードの指示方式が使用され、その結果、リソースオーバヘッドが減少し得る。さらに、セグメントの組み合わせの指示方法が、この方式で設計される。
［実施形態２］
【０１９２】
実施形態１に説明されるように、ＰＰＤＵは、各サブブロックに対応するＥＨＴ−ＳＩＧ−Ａ（すなわち、実施形態１および実施形態２における第２のフィールド。代替的に、ＥＨＴ−ＳＩＧ−Ａは、サブブロックが複数のＣＣを含む場合に第２のフィールドを含む）と、各サブブロックに対応するＥＨＴ−ＳＩＧ−Ｂ（すなわち、以下の実施形態１および実施形態２における第１のフィールド。代替的に、ＥＨＴ−ＳＩＧ−Ｂは、サブブロックが複数のＣＣを含む場合に第１のフィールドを含む）とを含む。例えば、第２のフィールドはＥＨＴ−ＳＩＧ−Ａであり、第１のフィールドはＥＨＴ−ＳＩＧ−Ｂである。Ｍ個のＥＨＴ−ＳＩＧ−Ａは、Ｍ個のＥＨＴ−ＳＩＧ−Ｂと１対１の対応関係にある。ＥＨＴ−ＳＩＧ−Ａは、以下の情報のうち少なくとも１つを含む：ＥＨＴ−ＳＩＧ−Ａに対応するＥＨＴ−ＳＩＧ−Ｂのシンボル数、ＥＨＴ−ＳＩＧ−ＢのＭＣＳ、ＥＨＴ−ＳＩＧ−Ｂの圧縮モード、ＰＰＤＵの伝送帯域幅、基本サービスセットの色、ガードインターバルおよび長いトレーニングシーケンスサイズ。
【０１９３】
具体的には、図２３は、本願の一実施形態に係る、セグメントにおけるＥＨＴ−ＳＩＧ−Ａの概略図である。図２３に示されるように、ＰＰＤＵの伝送帯域幅全体は、８０ＭＨｚまたは１６０ＭＨｚのユニットでＭ個のサブブロックに分割される。ＡＰは、全てのサブブロックにおいて、同じまたは異なるコンテンツのＥＨＴ−ＳＩＧ−Ａを送信する。複数のサブブロックに基づいて送信されたＰＰＤＵにおける各サブブロックのＥＨＴ−ＳＩＧ−Ａは、従来技術における完全に複製されたＥＨＴ−ＳＩＧ−Ａと比較して、異なるコンテンツを指示し得る。例えば：
【０１９４】
ＥＨＴ−ＳＩＧ−Ｂ  ＭＣＳ：異なるＥＨＴ−ＳＩＧ−Ｂ  ＭＣＳは、各サブブロックのＥＨＴ−ＳＩＧ−Ｂにおける情報の数とチャネルの質に基づいて設定され得る。
【０１９５】
基本サービスセットの色：ＡＰが位置付けられた基本サービスセットの識別子。異なるサブブロックは異なる基本サービスセットとみなされ得、異なる基本サービスセットの色を指示し得る。
【０１９６】
ＥＨＴ−ＳＩＧ−Ｂ圧縮モード：圧縮モードは、各サブブロックのＥＨＴ−ＳＩＧ−Ｂがサブブロックの組み合わせまたはセグメントの組み合わせであるかまたはサブブロック全体を占めるかどうかに基づいて設定される。
【０１９７】
加えて、異なるサブブロックは、同じＥＨＴ−ＳＩＧ−Ａパラメータを代替的に有し得る。
【０１９８】
ＥＨＴ−ＳＩＧ−Ｂシンボル数：ＥＨＴ−ＳＩＧ−Ｂの全ての部分の位置合わせが保証される。
【０１９９】
ＰＰＤＵ帯域幅：ＰＰＤＵ全体の帯域幅として一様に指示される。
【０２００】
ガードインターバルおよび長いトレーニングシーケンスサイズ：同じ値が設定され、全てのサブブロックにおけるＥＨＴ−ＬＴＦのガードインターバルの位置合わせと、全てのサブブロックにおけるＥＨＴ−ＬＴＦの長いトレーニングシーケンスの位置合わせとを保証し、シンボルレベルの位置合わせを保証する。
【０２０１】
要約すると、本願は、Ｍ個のＥＨＴ−ＳＩＧ−Ａを含むリソースユニット指示方法を提供する。ＥＨＴ−ＳＩＧ−Ａを使用することにより各サブブロックに基づいて指示および伝送が実行される方法は、サブブロックベースのデータ伝送をサポートする。方法は、ＳＴＡが最大帯域幅をサポートするが比較的に少ない機能を有する場合に適用可能である。
［実施形態３］
【０２０２】
実施形態１は、ＤＬ  ＯＦＤＭＡとＤＬ  ＭＵ  ＭＩＭＯとに基づくリソースユニット指示方法を提供する。実施形態３は、トリガフレームに基づくリソースユニット指示方法を提供する。具体的には、図２４は、本願の一実施形態に係るリソースユニット指示方法のフローチャートである。図２４に示されるように、方法は以下の段階を含む。
【０２０３】
段階Ｓ２４０１：ＡＰはＰＰＤＵを生成し、ここで、ＰＰＤＵはＭ個のトリガフレームを含み、Ｍは１より大きい整数であり、Ｍ個のトリガフレームは少なくとも２つのブロードキャストトリガフレームを任意選択的に含み、ＰＰＤＵの伝送帯域幅はＭ個のサブブロックに分割され、伝送帯域幅は４０ＭＨｚより大きいまたはそれに等しく、Ｍ個のトリガフレームはＭ個のサブブロックと１対１の対応関係にあり、トリガフレームは第１のフィールドを含み、第１のフィールドは、トリガフレームに対応するサブブロック上で伝送され、第１のフィールドは、ＡＰにより複数のＳＴＡのうち少なくとも１つに割り当てられたＲＵを指示するのに使用される。
【０２０４】
段階Ｓ２４０２：ＡＰはＰＰＤＵを複数のＳＴＡに送信する。
【０２０５】
ＰＰＤＵを受信するステーションは、第１のフィールドに基づいてアップリンクデータを伝送し得る。具体的には、ＰＰＤＵを受信するステーションは、第１のフィールドに基づいて、ＳＴＡがアップリンクデータを送信できる特定のＲＵを決定し得る。さらに、ＳＴＡは、対応するＲＵにおけるＡＰにアップリンクデータを送信し得る。
【０２０６】
具体的には、ＰＰＤＵの伝送帯域幅は、８０ＭＨｚのサブブロックユニットで複数のサブブロックに分割され得る。各トリガフレームは、ＳＴＡがアップリンク伝送を実行することをトリガーするのに使用される。各サブブロックにおけるリソースユニット割り当てサブフィールド（この実施形態においては第１のフィールドと理解され得る）は、リソースユニット割り当てサブフィールドが属するＳＴＡに対するリソースユニット割り当てステータスを個別に指示する。例えば、図２５は、本願の一実施形態に係る、８０ＭＨｚのサブブロックユニットにおける４つのトリガフレームに含まれた共通のフィールドおよびＳＴＡ毎のフィールドの概略図である。図２５に示されるように、各トリガフレームは、共通のフィールドとＳＴＡ毎のフィールドとを含む。任意選択的に、共通のフィールドは、アップリンク時空間ブロックコード、ＡＰ伝送電力、ＰＰＤＵ拡張、アップリンク空間多重化、アップリンクＨＥ−ＳＩＧ−Ａ予約、トリガフレームタイプに基づく共通情報、および予備フィールドなどを含む。ＳＴＡ毎のフィールドは、アソシエーション識別子、リソースユニット割り当てサブフィールド、アップリンクコーディングタイプ、アップリンクデュアルキャリア変調、空間のフロー数／ランダムコンテンションリソースユニットの情報、受信信号強度のインジケータ、およびトリガフレームタイプに基づくステーション情報などのフィールドを含む。
【０２０７】
さらに、ＡＰは、以下の複数の方式におけるトリガフレームを伝送し得る。
【０２０８】
方式１：トリガフレームは、ＨＥまたはＥＨＴ  ＭＵ  ＰＰＤＵを使用して伝送される。具体的には、異なるサブブロックにおけるトリガフレームは、異なるＲＵを使用することにより伝送される。
【０２０９】
方式２：それぞれのＰＰＤＵはＦＤＭＡ方式で異なるサブブロックにおいて伝送され、ここで、各ＰＰＤＵは対応するセグメントのトリガフレームを保持する。
【０２１０】
リソースユニット割り当てサブフィールドについて、リソースユニット割り当てサブフィールドにより指示されるＲＵが、リソースユニット割り当てサブフィールドに対応するサブブロックに含まれた最大ＲＵより小さいまたはそれに等しい場合、表２に示されるリソースユニットサブフィールドは、リソースを指示するのに使用される。
【０２１１】
任意選択的に、リソースユニット割り当てサブフィールドにより指示されるＲＵが、リソースユニット割り当てサブフィールドに対応するサブブロックに含まれた最大ＲＵより大きい場合、リソースユニット割り当てサブフィールドにより指示されるＲＵは、複数のサブブロックを含むサブブロックの組み合わせであるか、または、リソースユニット割り当てサブフィールドにより指示されるＲＵは、複数のサブブロックに含まれた全部または一部のセグメントを含むセグメントの組み合わせである。
【０２１２】
さらに、伝送帯域幅が３２０ＭＨｚでありＭ＝４である場合、リソースユニット割り当てサブフィールドにより指示されるＲＵはサブブロックの組み合わせであり（サブブロックの組み合わせは、８０ＭＨｚの分割ユニットでのセグメントの組み合わせとも称される）、１つのサブブロックは２つの８０ＭＨｚセグメントを含む。これに対応して、リソースユニット割り当てサブフィールドとサブブロックの組み合わせとの間の対応関係は、表２０に示される以下のエントリーのうち少なくとも１つを含む。
［表２０］
【表２７】
2021532660.tif 000029
【０２１３】
Ｐａｒｔ１、Ｐａｒｔ２、Ｐａｒｔ３およびＰａｒｔ４は、４つの異なるサブブロックである。
【０２１４】
任意選択的に、第１の値、第２の値、第３の値、第４の値、第５の値、第６の値、第７の値、第８の値、第９の値、第１０の値および第１１の値の長さは、全て８ビットである。言い換えれば、第１のフィールドは８ビットであり得る。
【０２１５】
リソースユニット割り当てサブフィールドとサブブロックの組み合わせとの間のマッピング関係は変化し得、本願のこの実施形態に列挙された事例に限定されないことに留意されたい。例えば、マッピング関係は、代替的に以下の通りであり得る：リソースユニット割り当てサブフィールドが第１の値である場合、サブブロックの組み合わせはＰａｒｔ１とＰａｒｔ３との組み合わせである。リソースユニット割り当てサブフィールドが第２の値である場合、サブブロックの組み合わせはＰａｒｔ１とＰａｒｔ２との組み合わせである。他の代替的な事例も、本願の実施形態の保護範囲に含まれることが理解されよう。表に使用されているサブブロック識別子は、サブブロックの論理識別子である。通常、サブブロック識別子１（Ｐａｒｔ１）は、プライマリ２０ＭＨｚチャネルを含む一番低い周波数８０ＭＨｚチャネルを指示し、サブブロック識別子２（Ｐａｒｔ２）は、Ｐａｒｔ１に隣接する２番目に低い周波数８０ＭＨｚチャネルを指示し、サブブロック識別子３（Ｐａｒｔ３）は、Ｐａｒｔ２に隣接するより高い周波数８０ＭＨｚチャネルを指示し、サブブロック識別子４（Ｐａｒｔ４）は、Ｐａｒｔ３に隣接する一番高い周波数８０ＭＨｚチャネルを指示する。前述の事項は、サブブロック識別子とチャネルとの間の一般的なマッピング関係を説明する。サブブロック識別子とチャネルとの間の別のマッピング関係も存在する。これは、本願において限定されるものではない。
【０２１６】
加えて、前述の表は、４つのサブブロックの全ての可能な組み合わせの事例を列挙する。実際の適用においては、前述の表における一部の組み合わせの事例のみが含まれ得る。一例において、リソースユニット割り当てサブフィールドは、周波数領域が連続的なサブブロックの組み合わせであり得る。例えば、前述の１１個の組み合わせの事例のうち６個のみが含まれ得る：Ｐａｒｔ１＋Ｐａｒｔ２、Ｐａｒｔ２＋Ｐａｒｔ３、Ｐａｒｔ３＋Ｐａｒｔ４、Ｐａｒｔ１＋Ｐａｒｔ２＋Ｐａｒｔ３、Ｐａｒｔ２＋Ｐａｒｔ３＋Ｐａｒｔ４、およびＰａｒｔ１＋Ｐａｒｔ２＋Ｐａｒｔ３＋Ｐａｒｔ４。
【０２１７】
本願のこの実施形態はさらに、リソースユニット割り当てサブフィールドとサブブロックの組み合わせＲＵとの間の対応関係を提供する。例が表２１に示される。
［表２１］
【表２８】
2021532660.tif 000030
【０２１８】
リソースユニット割り当てサブフィールドの異なる値と異なるサブブロックの組み合わせとの間の対応関係は置換され得、表２１に提供されているこのタイプの対応関係に限定されないことが理解されよう。
【０２１９】
各サブブロックにおいて、サブブロックにおけるリソースユニット割り当てのみが指示される必要があり、したがって、特定の８０ＭＨｚは指示される必要がないことが分かり得ることに留意されたい。したがって、１ビットは追加的に伝送されなくてもよい。または、ビットは、この後の使用のために予約ビットに設定される。
【０２２０】
伝送帯域幅が３２０ＭＨｚでありＭ＝４である場合、同じ帯域幅の事例において、本願におけるトリガフレームオーバーヘッドは、従来技術におけるトリガフレームオーバーヘッドと比較して４分の１に減少する。さらに、本願におけるトリガフレームは、サブブロックに跨るサブブロックの組み合わせを指示し得る。
【０２２１】
伝送帯域幅が３２０ＭＨｚでありＭ＝２である場合、リソースユニット割り当てサブフィールドにより指示されるＲＵは、セグメントの組み合わせである。これに対応して、リソースユニット割り当てサブフィールドとセグメントの組み合わせとの間の対応関係は、表２２に示される以下のエントリーのうち少なくとも１つを含む。
［表２２］
【表２９】
2021532660.tif 000031
【０２２２】
Ｓｅｇ１、Ｓｅｇ２、Ｓｅｇ３およびＳｅｇ４は、４つの異なるセグメントである。
【０２２３】
任意選択的に、第１の値、第２の値、第３の値、第４の値および第５の値の長さは、全て８ビットである。言い換えれば、リソースユニット割り当てサブフィールドは８ビットであり得る。
【０２２４】
リソースユニット割り当てサブフィールドとセグメントの組み合わせとの間のマッピング関係は変化し得、本願のこの実施形態に列挙された事例に限定されないことに留意されたい。例えば、マッピング関係は、代替的に以下の通りであり得る：リソースユニット割り当てサブフィールドが第１の値である場合、セグメントの組み合わせは、Ｓｅｇ１とＳｅｇ２とＳｅｇ４との組み合わせである。リソースユニット割り当てサブフィールドが第２の値である場合、セグメントの組み合わせは、Ｓｅｇ１とＳｅｇ２とＳｅｇ３との組み合わせである。他の代替的な事例も、本願の実施形態の保護範囲に含まれることが理解されよう。
【０２２５】
加えて、前述の表は、４つのセグメントの一部または全部の可能な組み合わせの事例を列挙する。実際の適用においては、前述の表における一部の組み合わせの事例のみが含まれ得る。一例において、リソースユニット割り当てサブフィールドは、周波数領域が連続的なセグメントの組み合わせを指示し得る。例えば、前述の５個の組み合わせの事例のうち２つのみが含まれ得、その２つは、Ｓｅｇ１＋Ｓｅｇ２＋Ｓｅｇ３およびＳｅｇ１＋Ｓｅｇ２＋Ｓｅｇ３＋Ｓｅｇ４である。
【０２２６】
本願のこの実施形態はさらに、リソースユニット割り当てサブフィールドとセグメントの組み合わせＲＵとの間の対応関係を提供する。例が表２３に示される。
［表２３］
【表３０】
2021532660.tif 000032
【０２２７】
伝送帯域幅が１６０ＭＨｚのユニットでＭ個のサブブロックに分割される場合は、第１のフィールドにより指示されるＲＵは９９６トーンのＲＵより小さいまたはそれに等しく、トリガフレームは第２のフィールドをさらに含み、第２のフィールドが第１の値である場合は、第１のフィールドにより指示されるＲＵは、トリガフレームに対応するサブブロックにおけるプライマリ８０ＭＨｚに属し、または、第２のフィールドが第２の値である場合は、第２の値は、ＲＵがトリガフレームに対応するサブブロックにおけるセカンダリ８０ＭＨｚに属することを指示するのに使用され、または、第２のフィールドが第１の値である場合は、第１の値は、ＲＵがトリガフレームに対応するサブブロックにおける低周波数８０ＭＨｚに属することを指示するのに使用され、または、第２のフィールドが第２の値である場合は、第２の値は、ＲＵがトリガフレームに対応するサブブロックにおける高周波数８０ＭＨｚに属することを指示するのに使用される。
【０２２８】
伝送帯域幅が３２０ＭＨｚでありＭ＝２である場合、同じ帯域幅の事例において、本願におけるトリガフレームオーバーヘッドは、従来技術におけるトリガフレームオーバーヘッドと比較して２分の１に減少する。さらに、本願におけるトリガフレームは、サブブロックに跨るサブブロックの組み合わせを指示し得る。
【０２２９】
任意選択的に、ＡＰが、ＳＴＡが属するサブブロックにおけるＳＴＡに対するＲＵを指示する場合、ＡＰにより指示されるＲＵは、ＳＴＡが属するサブブロックに限定されず、帯域幅全体にさらに拡張され得る。表１４に基づいて、２ビットが、３２０ＭＨｚの特定の８０ＭＨｚを指示するためにさらに導入される。
【０２３０】
具体的には、伝送帯域幅が３２０ＭＨｚである場合、トリガフレームは第３のフィールドをさらに含み、第３のフィールドは２ビットを含み得る。
【０２３１】
第３のフィールドが第１の値でありＲＵが９９６トーンのＲＵより小さいまたはそれに等しい場合、第１の値は、ＲＵが伝送帯域幅における一番低い周波数８０ＭＨｚに属することを指示するのに使用されるか、または、第３のフィールドが第２の値でありＲＵが９９６トーンのＲＵより小さいまたはそれに等しい場合、第２の値は、ＲＵが伝送帯域幅における２番目に低い周波数８０ＭＨｚに属することを指示するのに使用されるか、または、第３のフィールドが第３の値でありＲＵが９９６トーンのＲＵより小さいまたはそれに等しい場合、第３の値は、ＲＵが伝送帯域幅における２番目に高い周波数８０ＭＨｚに属することを指示するのに使用されるか、または、第３のフィールドが第４の値でありＲＵが９９６トーンのＲＵより小さいまたはそれに等しい場合、第４の値は、ＲＵが伝送帯域幅における一番高い周波数８０ＭＨｚに属することを指示するのに使用されるか、または、第３のフィールドが第１の値でありＲＵが９９６トーンのＲＵより小さいまたはそれに等しい場合、第１の値は、ＲＵが伝送帯域幅におけるプライマリ８０ＭＨｚに属することを指示するのに使用されるか、または、第３のフィールドが第２の値でありＲＵが９９６トーンのＲＵより小さいまたはそれに等しい場合、第２の値は、ＲＵが伝送帯域幅における第１のセカンダリ８０ＭＨｚに属することを指示するのに使用されるか、または、第３のフィールドが第３の値でありＲＵが９９６トーンのＲＵより小さいまたはそれに等しい場合、第３の値は、ＲＵが伝送帯域幅における第２のセカンダリ８０ＭＨｚに属することを指示するのに使用されるか、または、第３のフィールドが第４の値でありＲＵが９９６トーンのＲＵより小さいまたはそれに等しい場合、第４の値は、ＲＵが伝送帯域幅における第３のセカンダリ８０ＭＨｚに属することを指示するのに使用される。
【０２３２】
例えば、第３のフィールドにより表される意味は、表２４に示される。
［表２４］
【表３１】
2021532660.tif 000033
【０２３３】
任意選択的に、第１の値、第２の値、第３の値、および第４の値の長さは、全て２ビットである。表２５は、第３のフィールドにより表される意味の例を示す。
［表２５］
【表３２】
2021532660.tif 000034
【０２３４】
さらに、対応するサブブロックにおけるトリガフレームを受信した後、ＳＴＡは、第３のフィールドに基づいて、トリガフレームが搬送される特定の８０ＭＨｚチャネルを決定し、トリガフレームにおいて保持される第１のフィールドに基づいて、ＡＰによりＳＴＡに割り当てられるＲＵを決定し、ＲＵにおけるアップリンクデータを伝送し得る。
【０２３５】
これに基づいて、本願におけるオーバヘッドが従来技術におけるオーバヘッドと比較して減少したことに基づいて、各ステーションには１ビットのみが追加され、より柔軟なリソースユニット指示方法を実装する。
［実施形態４］
【０２３６】
実施形態１、実施形態２または実施形態３に基づいて、本願に提供されるサブブロックは、全てがデータ伝送を有しなくてもよく、言い換えれば、ＡＰは、一部のサブブロックにおいていかなるデータも伝送しなくてもよい。例えば、図２６は、本願の一実施形態に係る、いくつかのサブブロックにおけるＥＨＴ  ＰＰＤＵの伝送の概略図である。図２６に示されるように、サブブロック２ではデータが伝送されない。この事例は、一部のセグメントにおいて干渉が存在する場合に適用可能である。これに基づいて、チャネルリソースは完全に使用され得る。
【０２３７】
別の例においては、非ＥＨＴデータが一部のサブブロックにおいて伝送される。例えば、図２７は、本願の一実施形態に係る、いくつかのサブブロックにおける非ＥＨＴ  ＰＰＤＵの伝送の概略図である。図２７に示されるように、例えば、ＡＰは、プライマリ２０ＭＨｚが位置付けられたサブブロックにおいてＨＥ  ＰＰＤＵを伝送し、他のサブブロックにおいてＥＨＴ  ＰＰＤＵを伝送する。
【０２３８】
要約すると、データ伝送の柔軟性は、本願における２つの例を使用することにより実装され得る。
［実施形態５］
【０２３９】
図２８は、本願の一実施形態に係る、アクセスポイント側の装置２８００の概略ブロック図である。一実施形態において、図２８に示される装置２８００は、前述の方法の実施形態におけるアクセスポイント装置に対応し得、当該方法におけるアクセスポイントの機能を有し得る。任意選択的に、本願のこの実施形態における装置２８００は、アクセスポイントであってもよく、または、アクセスポイントのチップであってもよい。装置２８００は、処理モジュール２８１０とトランシーバモジュール２８２０とを含み得る。任意選択的に、装置２８００は、記憶モジュール２８３０をさらに含み得る。
【０２４０】
例えば、処理モジュール２８１０は、前述の方法の実施形態において送信される信号またはデータ情報を生成するように構成され得、例えば、段階Ｓ１２０１およびＳ２４０１を実行するように構成され得る。
【０２４１】
トランシーバモジュール２８２０は、アクセスポイントＡＰとステーションと別のノードとの間の通信をサポートするように構成される。トランシーバモジュールが受信モジュールおよび送信モジュールを含み得ることが理解されよう。送信モジュールは、前述の方法の実施形態における段階Ｓ１２０２およびＳ２４０２を実行するように構成され得る。
【０２４２】
本願のこの実施形態に係る装置２８００は前述の実施形態の方法におけるアクセスポイントに対応し得、装置２８００におけるモジュールの前述のおよび他の管理動作および／または機能は、前述した方法の対応する段階を実装するのにそれぞれ使用されることを理解されたい。簡潔にするために、詳細についてはここで説明しない。
【０２４３】
代替的に、装置２８００は、例えば一般的にチップとして既知である汎用処理システムとして構成され得る。処理モジュール２８１０は、処理機能を提供する１または複数のプロセッサを含み得る。トランシーバモジュール２８２０は、例えば、入力／出力インタフェース、ピン、または回路であり得る。入力／出力インタフェースは、チップシステムと外部との間の情報交換を担当するように構成され得る。例えば、入力／出力インタフェースは、処理モジュール２８１０により生成された信号またはデータ情報を、処理のためにチップの外部の別のモジュールに出力し得る。処理モジュールは、記憶モジュールに格納されたコンピュータ実行可能命令を実行して、前述の方法の実施形態におけるアクセスポイントの機能を実装し得る。一例において、装置２８００に任意選択的に含まれた記憶モジュール２８３０は、チップの内部の記憶ユニット、例えば、レジスタまたはキャッシュであり得、または、記憶モジュール２８３０は、チップの外部の記憶ユニット、例えば、リードオンリメモリ（ｒｅａｄ−ｏｎｌｙ  ｍｅｍｏｒｙ，略してＲＯＭ）、静的情報および命令を格納できる別のタイプの静的記憶デバイス、またはランダムアクセスメモリ（ｒａｎｄｏｍ  ａｃｃｅｓｓ  ｍｅｍｏｒｙ，略してＲＡＭ）であり得る。
【０２４４】
別の例において、図２９は、本願の一実施形態に係る、アクセスポイント側の別の通信装置２９００の概略ブロック図である。本願のこの実施形態における装置２９００は、前述の方法の実施形態におけるアクセスポイントであり得、装置２９００は、前述の方法の実施形態におけるアクセスポイントの機能の一部または全部を実装するように構成され得る。装置２９００は、プロセッサ２９１０、ベースバンド回路２９３０、無線周波数回路２９４０およびアンテナ２９５０を含み得る。任意選択的に、装置２９００は、メモリ２９２０をさらに含み得る。装置２９００のコンポーネントは、バス２９６０を使用して互いに連結される。データバスに加えて、バスシステム２９６０は、電力バス、制御バス、およびステータス信号バスを含む。しかしながら、明確な説明のために、図における様々なタイプのバスがバスシステム２９６０として示される。
【０２４５】
プロセッサ２９１０は、アクセスポイントを制御するように構成され得、前述の実施形態におけるアクセスポイントにより実行される処理を実行するように構成される。プロセッサ２９１０は、前述の方法の実施形態におけるアクセスポイントに関連する処理プロセス、および／または、本願に説明された技術の他のプロセスを実行し得、さらに、オペレーティングシステムを動作させ得る。プロセッサ２９１０はバスの管理を担当し、メモリに格納されたプログラムまたは命令を実行し得る。
【０２４６】
ベースバンド回路２９３０、無線周波数回路２９４０、およびアンテナ２９５０は、アクセスポイントとステーションとの間における情報の送受信をサポートして、アクセスポイントと別のノードとの間の無線通信をサポートするように構成され得る。例えば、ＰＰＤＵはプロセッサ２９１０により処理され得、プロトコルベースのカプセル化およびコーディングなどのベースバンド処理はベースバンド回路２９３０により実行され得、アナログ変換、フィルタリング、増幅およびアップコンバージョンなどの無線周波数処理は無線周波数回路２９４０によりさらに実行され得、次に、アンテナ２９５０によりステーションに送信される。ベースバンド回路２９３０、無線周波数回路２９４０およびアンテナ２９５０は、アクセスポイントと別のネットワークエンティティとの間の通信、例えば、アクセスポイントとコアネットワーク側のネットワークエレメントとの間の通信をサポートするようにさらに構成され得ることが理解されよう。
【０２４７】
メモリ２９２０は、アクセスポイントのプログラムコードおよびデータを格納するように構成され得、メモリ２９２０は、図２８における記憶モジュール２８３０であり得る。図２９に示されるように、メモリ２９２０はプロセッサ２９１０から分離されている。しかしながら、当業者は、メモリ２９２０またはメモリ２９２０の任意の部分が装置２９００の外部に位置付けられ得ることを非常に容易に理解する。例えば、メモリ２９２０は、無線ノードから分離された伝送回線および／またはコンピュータ製品を含み得る。これらの媒体は、バスインタフェース２９６０を使用して、プロセッサ２９１０によりアクセスされ得る。代替的に、メモリ２９２０またはメモリ２９２０の任意の部分は、プロセッサ２９１０に統合され得、例えば、キャッシュおよび／または汎用レジスタであり得る。
【０２４８】
一例では、図２８において、トランシーバ２８２０は、ベースバンド回路２９３０、無線周波数回路２９４０およびアンテナ２９５０を含み得、処理モジュール２８１０はプロセッサ２９１０であり得る。別の例では、図２８において、トランシーバ２８２０は図２９におけるアンテナのみを含み得、処理モジュール２８１０は、プロセッサ２９１０を含み、さらに、無線周波数回路２９４０およびベースバンド回路２９３０を含み得る。さらに別の例では、図２８において、処理モジュール２８１０はプロセッサ２９１０およびベースバンド回路２９３０を含み得、トランシーバ２８２０は無線周波数回路２９４０およびアンテナ２９５０を含み得る。
【０２４９】
図２９はアクセスポイントの簡略設計のみを示すことが理解されよう。例えば、実際の適用において、アクセスポイントは、任意の数の送信機、受信機、プロセッサ、またはメモリなどを含み得、本発明を実装できる全てのアクセスポイントは本発明の保護範囲に含まれる。
【０２５０】
本願の実施形態はさらに、コンピュータ可読記憶媒体を提供する。コンピュータ可読記憶媒体は命令を格納し、命令は、処理回路における１または複数のプロセッサにより実行され得る。コンピュータ可読記憶媒体がコンピュータ上で動作する場合、コンピュータは、前述の実施形態における方法を実行することが可能になる。
［実施形態６］
【０２５１】
図３０は、本願の一実施形態に係る、ステーション側の装置３０００の概略ブロック図である。一実施形態において、図３０に示される装置３０００は、前述の方法の実施形態におけるステーション装置に対応し得、当該方法におけるステーションの機能を有し得る。任意選択的に、本願のこの実施形態における装置３０００は、ステーションであってもよく、または、ステーションのチップであってもよい。装置３０００は、処理モジュール３０１０とトランシーバモジュール３０２０とを含み得る。任意選択的に、装置３０００は、記憶モジュール３０３０をさらに含み得る。
【０２５２】
例えば、トランシーバモジュール３０２０は、ステーションＳＴＡとアクセスポイントＡＰと別のノードとの間の通信をサポートするように構成される。トランシーバモジュールが受信モジュールおよび送信モジュールを含み得ることが理解されよう。受信モジュールは、前述の方法の実施形態における段階Ｓ１２０２またはＳ２４０２において送信されたＰＰＤＵを受信するように構成され得る。
【０２５３】
処理モジュール３０１０は、前述の方法の実施形態における第１のフィールドおよび第２のフィールドなどの信号情報に基づいて、受信モジュールにより受信されたＰＰＤＵを解析するように構成され得る。
【０２５４】
本願のこの実施形態に係る装置３０００は前述の実施形態の方法におけるステーションに対応し得、装置３０００におけるモジュールの前述のおよび他の管理動作および／または機能は、前述した方法の対応する段階を実装するのにそれぞれ使用されることを理解されたい。簡潔にするために、詳細についてはここで説明しない。
【０２５５】
代替的に、装置３０００は、例えば一般的にチップとして既知である汎用処理システムとして構成され得る。処理モジュール３０１０は、処理機能を提供する１または複数のプロセッサを含み得る。トランシーバモジュール３０２０は、例えば、入力／出力インタフェース、ピン、または回路であり得る。入力／出力インタフェースは、チップシステムと外部との間の情報交換を担当するように構成され得る。例えば、入力／出力インタフェースは、チップの外部の別のモジュールから受信されたＰＰＤＵを、処理のためにチップの内部の処理モジュール３０１０に出力し得る。処理モジュールは、記憶モジュールに格納されたコンピュータ実行可能命令を実行して、前述の方法の実施形態におけるステーションの機能を実装し得る。一例において、装置３０００に任意選択的に含まれた記憶モジュール３０３０は、チップの内部の記憶ユニット、例えば、レジスタまたはキャッシュであり得、または、記憶モジュール３０３０は、チップの外部の記憶ユニット、例えば、リードオンリメモリ（ｒｅａｄ−ｏｎｌｙ  ｍｅｍｏｒｙ，略してＲＯＭ）、静的情報および命令を格納できる別のタイプの静的記憶デバイス、またはランダムアクセスメモリ（ｒａｎｄｏｍ  ａｃｃｅｓｓ  ｍｅｍｏｒｙ，略してＲＡＭ）であり得る。
【０２５６】
別の例において、図３１は、本願の一実施形態に係る、ステーション側の別の通信装置３１００の概略ブロック図である。本願のこの実施形態における装置３１００は、前述の方法の実施形態におけるステーションであり得、装置３１００は、前述の方法の実施形態におけるステーションの機能の一部または全部を実装するように構成され得る。装置３１００は、プロセッサ３１１０、ベースバンド回路３１３０、無線周波数回路３１４０およびアンテナ３１５０を含み得る。任意選択的に、装置３１００は、メモリ３１２０をさらに含み得る。装置３１００のコンポーネントは、バス３１６０を使用して互いに連結される。データバスに加えて、バスシステム３１６０は、電力バス、制御バス、およびステータス信号バスを含む。しかしながら、明確な説明のために、図における様々なタイプのバスがバスシステム３１６０として示される。
【０２５７】
プロセッサ３１１０は、ステーションを制御するように構成され得、前述の実施形態におけるステーションにより実行される処理を実行するように構成される。プロセッサ３１１０は、前述の方法の実施形態におけるステーションに関連する処理プロセス、および／または、本願に説明された技術の他のプロセスを実行し得、さらに、オペレーティングシステムを動作させ得る。プロセッサ３１１０はバスの管理を担当し、メモリに格納されたプログラムまたは命令を実行し得る。
【０２５８】
ベースバンド回路３１３０、無線周波数回路３１４０、およびアンテナ３１５０は、ステーションとアクセスポイントとの間における情報の送受信をサポートして、ステーションと別のノードとの間の無線通信をサポートするように構成され得る。例えば、アクセスポイントにより送信されたＰＰＤＵはアンテナ３１５０により受信され、フィルタリング、増幅、ダウンコンバージョンおよびデジタル化などの処理は無線周波数回路３１４０により実行され、デコードおよびプロトコルベースのデータのカプセル解除などのベースバンド処理はベースバンド回路３１３０により実行され、次に、処理はプロセッサ３１１０により実行され、ステーションにより送信されたサービスデータおよび信号情報を復元させる。ベースバンド回路３１３０、無線周波数回路３１４０およびアンテナ３１５０はさらに、ステーションと別のネットワークエンティティとの間の通信をサポートするように構成され得ることが理解されよう。
【０２５９】
メモリ３１２０は、ステーションのプログラムコードおよびデータを格納するように構成され得、メモリ３１２０は、図３０における記憶モジュール３０３０であり得る。図３１に示されるように、メモリ３１２０はプロセッサ３１１０から分離されている。しかしながら、当業者は、メモリ３１２０またはメモリ３１２０の任意の部分が装置３１００の外部に位置付けられ得ることを非常に容易に理解する。例えば、メモリ３１２０は、無線ノードから分離された伝送回線および／またはコンピュータ製品を含み得る。これらの媒体は、バスインタフェース３１６０を使用して、プロセッサ３１１０によりアクセスされ得る。代替的に、メモリ３１２０またはメモリ３１２０の任意の部分は、プロセッサ３１１０に統合され得、例えば、キャッシュおよび／または汎用レジスタであり得る。
【０２６０】
一例では、図３０において、トランシーバ３０２０は、ベースバンド回路３１３０、無線周波数回路３１４０およびアンテナ３１５０を含み得、処理モジュール３０１０はプロセッサ３１１０であり得る。別の例では、図３０において、トランシーバ３０２０は図３１におけるアンテナのみを含み得、処理モジュール３０１０は、プロセッサ３１１０を含み、さらに、無線周波数回路３１４０およびベースバンド回路３１３０を含み得る。さらに別の例では、図３０において、処理モジュール３０１０はプロセッサ３１１０およびベースバンド回路３１３０を含み得、トランシーバ３０２０は無線周波数回路３１４０およびアンテナ３１５０を含み得る。
【０２６１】
図３１はステーションの簡略設計のみを示すことが理解されよう。例えば、実際の適用において、ステーションは、任意の数の送信機、受信機、プロセッサ、またはメモリなどを含み得、本発明を実装できる全てのステーションは本発明の保護範囲に含まれる。
【０２６２】
本願の実施形態はさらに、コンピュータ可読記憶媒体を提供する。コンピュータ可読記憶媒体は命令を格納し、命令は、処理回路における１または複数のプロセッサにより実行され得る。コンピュータ可読記憶媒体がコンピュータ上で動作する場合、コンピュータは、前述の実施形態における方法を実行することが可能になる。
【０２６３】
本願の実施形態はさらに、チップシステムを提供する。チップシステムは、例えば、前述した方法におけるデータおよび／または情報の生成または処理などの、前述の実施形態における機能の実装において、アクセスポイントをサポートするように構成されたプロセッサを含む。
【０２６４】
可能な設計において、チップシステムはメモリをさらに含み得る。メモリは、アクセスポイントに必要なプログラム命令およびデータを格納するように構成される。チップシステムはチップを含んでもよく、または、チップおよび別のディスクリートデバイスを含んでもよい。
【０２６５】
本願の実施形態はさらに、別のチップシステムを提供する。チップシステムは、例えば、前述した方法におけるデータおよび／または情報の生成または処理などの、前述の実施形態における機能の実装において、ステーションをサポートするように構成されたプロセッサを含む。
【０２６６】
可能な設計において、チップシステムはメモリをさらに含み得る。メモリは、アクセスポイントに必要なプログラム命令およびデータを格納するように構成される。チップシステムはチップを含んでもよく、または、チップおよび別のディスクリートデバイスを含んでもよい。
【０２６７】
可能な設計において、チップシステムはメモリをさらに含み得る。メモリは、ステーションに必要なプログラム命令およびデータを格納するように構成される。チップシステムはチップを含んでもよく、または、チップおよび別のディスクリートデバイスを含んでもよい。
【０２６８】
本願の実施形態はさらに、命令を含むコンピュータプログラム製品を提供する。コンピュータプログラム製品がコンピュータ上で動作する場合、コンピュータは、前述の実施形態のいずれかにおいてアクセスポイントＡＰに関連する方法および機能を実行することが可能になる。
【０２６９】
本願の実施形態はさらに、命令を含むコンピュータプログラム製品を提供する。コンピュータプログラム製品がコンピュータ上で動作する場合、コンピュータは、前述の実施形態のいずれかにおいてステーションＳＴＡに関連する方法および機能を実行することが可能になる。
［他の考えられる項目］
［項目１］
リソースユニット指示方法であって、
アクセスポイントＡＰが物理プロトコルデータユニットＰＰＤＵを複数のステーションＳＴＡに送信する段階であって、上記ＰＰＤＵの伝送帯域幅はＭ個のサブブロックに分割され、Ｍは１より大きい整数であり、上記伝送帯域幅は８０ＭＨｚより大きいまたはそれに等しく、上記ＰＰＤＵはＭ個の第１のフィールドを備え、Ｍ個の上記第１のフィールドはＭ個の上記サブブロックと１対１の対応関係にあり、上記第１のフィールドは対応するサブブロック上で伝送され、上記第１のフィールドは、上記ＡＰにより複数の上記ステーションＳＴＡのうち少なくとも１つに割り当てられたリソースユニットＲＵを指示するのに使用される、送信する段階を備える、方法。
［項目２］
リソースユニット指示方法であって、
ステーションＳＴＡがアクセスポイントＡＰにより送信された物理プロトコルデータユニットＰＰＤＵを受信する段階であって、上記ＰＰＤＵの伝送帯域幅はＭ個のサブブロックに分割され、Ｍは１より大きい整数であり、上記伝送帯域幅は８０ＭＨｚより大きいまたはそれに等しく、上記ＰＰＤＵはＭ個の第１のフィールドを備え、Ｍ個の上記第１のフィールドはＭ個の上記サブブロックと１対１の対応関係にあり、上記第１のフィールドは対応するサブブロック上で伝送され、上記第１のフィールドは、上記ＡＰにより複数のＳＴＡのうち少なくとも１つに割り当てられたリソースユニットＲＵを指示するのに使用され、上記ＳＴＡは上記複数のＳＴＡのいずれか１つである、受信する段階と、
上記ＳＴＡが上記第１のフィールドに基づいて上記ＰＰＤＵを解析する段階と
を備える、方法。
［項目３］
上記ＲＵが上記第１のフィールドに対応する上記サブブロックに含まれた最大ＲＵより大きい場合、上記ＲＵは、複数のサブブロックを含むサブブロックの組み合わせであるか、または、上記ＲＵは、複数のサブブロックに含まれた全部または一部のセグメントを含むセグメントの組み合わせである、項目１または２に記載の方法。
［項目４］
上記ＰＰＤＵは指示情報をさらに含み、上記指示情報は、上記ＲＵにおいてデータを伝送するＳＴＡの数を指示するのに使用される、項目３に記載の方法。
［項目５］
上記第１のフィールドはさらに、上記ＲＵにおいてデータを伝送するＳＴＡの数を指示するのに使用される、項目３に記載の方法。
［項目６］
上記ＲＵは上記第１のフィールドに対応する上記サブブロックを含む、項目３から５のいずれか一項に記載の方法。
［項目７］
リソースユニット指示方法であって、
アクセスポイントＡＰが物理プロトコルデータユニットＰＰＤＵを複数のステーションＳＴＡに送信する段階であって、上記ＰＰＤＵはＭ個のトリガフレームを含み、Ｍは１より大きい整数であり、ここで、上記ＰＰＤＵの伝送帯域幅はＭ個のサブブロックに分割され、上記伝送帯域幅は４０ＭＨｚより大きいまたはそれに等しく、Ｍ個の上記トリガフレームはＭ個の上記サブブロックと１対１の対応関係にあり、上記トリガフレームは第１のフィールドを含み、上記第１のフィールドは、上記トリガフレームに対応するサブブロック上で伝送され、上記第１のフィールドは、上記ＡＰにより上記複数のＳＴＡのうち少なくとも１つに割り当てられたリソースユニットＲＵを指示するのに使用される、送信する段階を備える、方法。
［項目８］
リソースユニット指示方法であって、
ステーションＳＴＡがアクセスポイントＡＰにより送信された物理プロトコルデータユニットＰＰＤＵを受信する段階であって、上記ＰＰＤＵはＭ個のトリガフレームを含み、Ｍは１より大きい整数であり、上記ＰＰＤＵの伝送帯域幅はＭ個のサブブロックに分割され、上記伝送帯域幅は４０ＭＨｚより大きいまたはそれに等しく、Ｍ個の上記トリガフレームはＭ個の上記サブブロックと１対１の対応関係にあり、上記トリガフレームは第１のフィールドを含み、上記第１のフィールドは上記トリガフレームに対応するサブブロック上で伝送され、上記第１のフィールドは、上記ＡＰにより複数のＳＴＡのうち少なくとも１つに割り当てられたリソースユニットＲＵを指示するのに使用され、上記ＳＴＡは上記複数のＳＴＡのいずれか１つである、受信する段階と、
上記ＳＴＡが、上記第１のフィールドに基づいてアップリンクデータを伝送する段階と
を備える、方法。
［項目９］
上記ＲＵが上記第１のフィールドに対応する上記サブブロックに含まれた最大ＲＵより大きい場合、上記ＲＵは、複数のサブブロックを含むサブブロックの組み合わせであるか、または、上記ＲＵは、複数のサブブロックに含まれた全部または一部のセグメントを含むセグメントの組み合わせである、項目７または８に記載の方法。
［項目１０］
上記伝送帯域幅が１６０ＭＨｚのユニットでＭ個のサブブロックに分割される場合、上記トリガフレームは第２のフィールドをさらに備え、
上記第２のフィールドが第１の値であり上記ＲＵが９９６トーンのＲＵより小さいまたはそれに等しい場合、上記第１の値は、上記ＲＵが上記トリガフレームに対応する上記サブブロックにおけるプライマリ８０ＭＨｚに属することを指示するのに使用されるか、または、
上記第２のフィールドが第２の値であり上記ＲＵが９９６トーンのＲＵより小さいまたはそれに等しい場合、上記第２の値は、上記ＲＵが上記トリガフレームに対応する上記サブブロックにおけるセカンダリ８０ＭＨｚに属することを指示するのに使用されるか、または、
上記第２のフィールドが第１の値であり上記ＲＵが９９６トーンのＲＵより小さいまたはそれに等しい場合、上記第１の値は、上記ＲＵが上記トリガフレームに対応する上記サブブロックにおける低周波数８０ＭＨｚに属することを指示するのに使用されるか、または、
上記第２のフィールドが第２の値であり上記ＲＵが９９６トーンのＲＵより小さいまたはそれに等しい場合、上記第２の値は、上記ＲＵが上記トリガフレームに対応する上記サブブロックにおける高周波数８０ＭＨｚに属することを指示するのに使用される、項目７から９のいずれか一項に記載の方法。
［項目１１］
上記伝送帯域幅が３２０ＭＨｚである場合、上記トリガフレームは第３のフィールドをさらに備え、
上記第３のフィールドが第１の値であり上記ＲＵが９９６トーンのＲＵより小さいまたはそれに等しい場合、上記第１の値は、上記ＲＵが上記伝送帯域幅における一番低い周波数８０ＭＨｚに属することを指示するのに使用されるか、または、
上記第３のフィールドが第２の値であり上記ＲＵが９９６トーンのＲＵより小さいまたはそれに等しい場合、上記第２の値は、上記ＲＵが上記伝送帯域幅における２番目に低い周波数８０ＭＨｚに属することを指示するのに使用されるか、または、
上記第３のフィールドが第３の値であり上記ＲＵが９９６トーンのＲＵより小さいまたはそれに等しい場合、上記第３の値は、上記ＲＵが上記伝送帯域幅における２番目に高い周波数８０ＭＨｚに属することを指示するのに使用されるか、または、
上記第３のフィールドが第４の値であり上記ＲＵが９９６トーンのＲＵより小さいまたはそれに等しい場合、上記第４の値は、上記ＲＵが上記伝送帯域幅における一番高い周波数８０ＭＨｚに属することを指示するのに使用されるか、または、
上記第３のフィールドが第１の値であり上記ＲＵが９９６トーンのＲＵより小さいまたはそれに等しい場合、上記第１の値は、上記ＲＵが上記伝送帯域幅におけるプライマリ８０ＭＨｚに属することを指示するのに使用されるか、または、
上記第３のフィールドが第２の値であり上記ＲＵが９９６トーンのＲＵより小さいまたはそれに等しい場合、上記第２の値は、上記ＲＵが上記伝送帯域幅における第１のセカンダリ８０ＭＨｚに属することを指示するのに使用されるか、または、
上記第３のフィールドが第３の値であり上記ＲＵが９９６トーンのＲＵより小さいまたはそれに等しい場合、上記第３の値は、上記ＲＵが上記伝送帯域幅における第２のセカンダリ８０ＭＨｚに属することを指示するのに使用されるか、または、
上記第３のフィールドが第４の値であり上記ＲＵが９９６トーンのＲＵより小さいまたはそれに等しい場合、上記第４の値は、上記ＲＵが上記伝送帯域幅における第３のセカンダリ８０ＭＨｚに属することを指示するのに使用される、項目７から９のいずれか一項に記載の方法。
［項目１２］
上記ＲＵは上記第１のフィールドに対応する上記サブブロックを含む、項目７から１０のいずれか一項に記載の方法。
［項目１３］
リソースユニット指示装置であって、上記装置はアクセスポイントＡＰであって、
物理プロトコルデータユニットＰＰＤＵを生成するように構成された処理モジュールと、
上記ＰＰＤＵを複数のステーションＳＴＡに送信するように構成されており、上記ＰＰＤＵの伝送帯域幅はＭ個のサブブロックに分割され、Ｍは１より大きい整数であり、上記伝送帯域幅は８０ＭＨｚより大きいまたはそれに等しく、上記ＰＰＤＵはＭ個の第１のフィールドを含み、Ｍ個の上記第１のフィールドはＭ個の上記サブブロックと１対１の対応関係にあり、上記第１のフィールドは対応するサブブロック上で伝送され、上記第１のフィールドは、上記ＡＰにより複数の上記ステーションＳＴＡのうち少なくとも１つに割り当てられたリソースユニットＲＵを指示するのに使用される、送信モジュールと
を備える、装置。
［項目１４］
リソースユニット指示装置であって、上記装置はステーションＳＴＡであって、
アクセスポイントＡＰにより送信された物理プロトコルデータユニットＰＰＤＵを受信することであって、上記ＰＰＤＵの伝送帯域幅はＭ個のサブブロックに分割され、Ｍは１より大きい整数であり、上記伝送帯域幅は８０ＭＨｚより大きいまたはそれに等しく、上記ＰＰＤＵはＭ個の第１のフィールドを含み、Ｍ個の上記第１のフィールドはＭ個の上記サブブロックと１対１の対応関係にあり、上記第１のフィールドは対応するサブブロック上で伝送され、上記第１のフィールドは、上記ＡＰにより複数のＳＴＡのうち少なくとも１つに割り当てられたリソースユニットＲＵを指示するのに使用され、上記ＳＴＡは上記複数のＳＴＡのいずれか１つである、受信することを行うように構成された、受信モジュールと、
上記第１のフィールドに基づいて上記ＰＰＤＵを解析するように構成された処理モジュールと
を備える、装置。
［項目１５］
上記ＲＵが上記第１のフィールドに対応する上記サブブロックに含まれた最大ＲＵより大きい場合、上記ＲＵは、複数のサブブロックを含むサブブロックの組み合わせであるか、または、上記ＲＵは、複数のサブブロックに含まれた全部または一部のセグメントを含むセグメントの組み合わせである、項目１３または１４に記載の装置。
［項目１６］
上記ＰＰＤＵは指示情報をさらに含み、上記指示情報は、上記ＲＵにおいてデータを伝送するＳＴＡの数を指示するのに使用される、項目１５に記載の装置。
［項目１７］
上記第１のフィールドはさらに、上記ＲＵにおいてデータを伝送するＳＴＡの数を指示するのに使用される、項目１５に記載の装置。
［項目１８］
上記ＲＵは上記第１のフィールドに対応する上記サブブロックを含む、項目１５から１７のいずれか一項に記載の装置。
［項目１９］
リソースユニット指示装置であって、上記装置はアクセスポイントＡＰであって、
物理プロトコルデータユニットＰＰＤＵを生成するように構成された処理モジュールと、
上記ＰＰＤＵを複数のステーションＳＴＡに送信することであって、上記ＰＰＤＵはＭ個のトリガフレームを含み、Ｍは１より大きい整数であり、
上記ＰＰＤＵの伝送帯域幅はＭ個のサブブロックに分割され、上記伝送帯域幅は４０ＭＨｚより大きいまたはそれに等しく、Ｍ個の上記トリガフレームはＭ個の上記サブブロックと１対１の対応関係にあり、上記トリガフレームは第１のフィールドを含み、上記第１のフィールドは上記トリガフレームに対応するサブブロック上で伝送され、上記第１のフィールドは、上記ＡＰにより上記複数のＳＴＡのうち少なくとも１つに割り当てられたリソースユニットＲＵを指示するのに使用される、送信することを行うように構成された送信モジュールと
を備える、装置。
［項目２０］
リソースユニット指示装置であって、上記装置はステーションＳＴＡであって、
アクセスポイントＡＰにより送信された物理プロトコルデータユニットＰＰＤＵを受信するように構成された受信モジュールであって、上記ＰＰＤＵはＭ個のトリガフレームを含み、Ｍは１より大きい整数であり、上記ＰＰＤＵの伝送帯域幅はＭ個のサブブロックに分割され、上記伝送帯域幅は４０ＭＨｚより大きいまたはそれに等しく、Ｍ個の上記トリガフレームはＭ個の上記サブブロックと１対１の対応関係にあり、上記トリガフレームは第１のフィールドを含み、上記第１のフィールドは上記トリガフレームに対応するサブブロック上で伝送され、上記第１のフィールドは、上記ＡＰにより複数のＳＴＡのうち少なくとも１つに割り当てられたリソースユニットＲＵを指示するのに使用され、上記ＳＴＡは上記複数のＳＴＡのいずれか１つである、受信モジュールと、
上記第１のフィールドに基づいてアップリンクデータを伝送するように構成された処理モジュールと
を備える、方法。
［項目２１］
上記ＲＵが上記第１のフィールドに対応する上記サブブロックに含まれた最大ＲＵより大きい場合、上記ＲＵは、複数のサブブロックを含むサブブロックの組み合わせであるか、または、上記ＲＵは、複数のサブブロックに含まれた全部または一部のセグメントを含むセグメントの組み合わせである、項目１９または２０に記載の装置。
［項目２２］
上記伝送帯域幅が１６０ＭＨｚのユニットでＭ個のサブブロックに分割される場合、上記トリガフレームは第２のフィールドをさらに備え、
上記第２のフィールドが第１の値であり上記ＲＵが９９６トーンのＲＵより小さいまたはそれに等しい場合、上記第１の値は、上記ＲＵが上記トリガフレームに対応する上記サブブロックにおけるプライマリ８０ＭＨｚに属することを指示するのに使用されるか、または、
上記第２のフィールドが第２の値であり上記ＲＵが９９６トーンのＲＵより小さいまたはそれに等しい場合、上記第２の値は、上記ＲＵが上記トリガフレームに対応する上記サブブロックにおけるセカンダリ８０ＭＨｚに属することを指示するのに使用されるか、または、
上記第２のフィールドが第１の値であり上記ＲＵが９９６トーンのＲＵより小さいまたはそれに等しい場合、上記第１の値は、上記ＲＵが上記トリガフレームに対応する上記サブブロックにおける低周波数８０ＭＨｚに属することを指示するのに使用されるか、または、
上記第２のフィールドが第２の値であり上記ＲＵが９９６トーンのＲＵより小さいまたはそれに等しい場合、上記第２の値は、上記ＲＵが上記トリガフレームに対応する上記サブブロックにおける高周波数８０ＭＨｚに属することを指示するのに使用される、項目１９から２１のいずれか一項に記載の装置。
［項目２３］
上記伝送帯域幅が３２０ＭＨｚである場合、上記トリガフレームは第３のフィールドをさらに備え、
上記第３のフィールドが第１の値であり上記ＲＵが９９６トーンのＲＵより小さいまたはそれに等しい場合、上記第１の値は、上記ＲＵが上記伝送帯域幅における一番低い周波数８０ＭＨｚに属することを指示するのに使用されるか、または、
上記第３のフィールドが第２の値であり上記ＲＵが９９６トーンのＲＵより小さいまたはそれに等しい場合、上記第２の値は、上記ＲＵが上記伝送帯域幅における２番目に低い周波数８０ＭＨｚに属することを指示するのに使用されるか、または、
上記第３のフィールドが第３の値であり上記ＲＵが９９６トーンのＲＵより小さいまたはそれに等しい場合、上記第３の値は、上記ＲＵが上記伝送帯域幅における２番目に高い周波数８０ＭＨｚに属することを指示するのに使用されるか、または、
上記第３のフィールドが第４の値であり上記ＲＵが９９６トーンのＲＵより小さいまたはそれに等しい場合、上記第４の値は、上記ＲＵが上記伝送帯域幅における一番高い周波数８０ＭＨｚに属することを指示するのに使用されるか、または、
上記第３のフィールドが第１の値であり上記ＲＵが９９６トーンのＲＵより小さいまたはそれに等しい場合、上記第１の値は、上記ＲＵが上記伝送帯域幅におけるプライマリ８０ＭＨｚに属することを指示するのに使用されるか、または、
上記第３のフィールドが第２の値であり上記ＲＵが９９６トーンのＲＵより小さいまたはそれに等しい場合、上記第２の値は、上記ＲＵが上記伝送帯域幅における第１のセカンダリ８０ＭＨｚに属することを指示するのに使用されるか、または、
上記第３のフィールドが第３の値であり上記ＲＵが９９６トーンのＲＵより小さいまたはそれに等しい場合、上記第３の値は、上記ＲＵが上記伝送帯域幅における第２のセカンダリ８０ＭＨｚに属することを指示するのに使用されるか、または、
上記第３のフィールドが第４の値であり上記ＲＵが９９６トーンのＲＵより小さいまたはそれに等しい場合、上記第４の値は、上記ＲＵが上記伝送帯域幅における第３のセカンダリ８０ＭＨｚに属することを指示するのに使用される、項目１９から２１のいずれか一項に記載の装置。
［項目２４］
上記ＲＵは上記第１のフィールドに対応する上記サブブロックを含む、項目１９から２３のいずれか一項に記載の装置。
［項目２５］
コンピュータ可読記憶媒体であって、上記コンピュータ可読記憶媒体は命令を格納するように構成され、上記命令がコンピュータ上で動作する場合、上記コンピュータは、項目１から１２のいずれか一項に記載の方法を実行することが可能になる、コンピュータ可読記憶媒体。
［項目２６］
コンピュータプログラム製品であって、上記コンピュータプログラム製品は１つまたは複数のコンピュータ命令を備え、上記コンピュータ命令がコンピュータ上で動作する場合、上記コンピュータは、項目１から１２のいずれか一項に記載の方法を実行することが可能になる、コンピュータプログラム製品。
［項目２７］
１または複数のプロセッサと、入力／出力インタフェースとを備える装置であって、上記入力／出力インタフェースは、上記装置の情報またはシグナリングの入力および出力を担当するように構成され、上記１または複数の処理回路は、項目１から１２のいずれか一項に記載の方法を実装する命令を実行するように構成される、装置。
［項目２８］
プロセッサとメモリとを備える装置であって、上記メモリは、命令を格納するように構成され、上記命令が上記プロセッサ上で動作する場合、上記装置は、項目１から１２のいずれか一項に記載の方法を実行することが可能になる、装置。
［項目２９］
項目１から１２のいずれか一項に記載の方法を実装するように構成された、装置。
【図１】
2021532660.tif 000035
【図２】
2021532660.tif 000036
【図３】
2021532660.tif 000037
【図４】
2021532660.tif 000038
【図５】
2021532660.tif 000039
【図６】
2021532660.tif 000040
【図７】
2021532660.tif 000041
【図８】
2021532660.tif 000042
【図９】
2021532660.tif 000043
【図１０】
2021532660.tif 000044
【図１１】
2021532660.tif 000045
【図１２】
2021532660.tif 000046
【図１３】
2021532660.tif 000047
【図１４】
2021532660.tif 000048
【図１５】
2021532660.tif 000049
【図１６】
2021532660.tif 000050
【図１７】
2021532660.tif 000051
【図１８】
2021532660.tif 000052
【図１９Ａ】
2021532660.tif 000053
【図１９Ｂ】
2021532660.tif 000054
【図１９Ｃ】
2021532660.tif 000055
【図２０Ａ】
2021532660.tif 000056
【図２０Ｂ】
2021532660.tif 000057
【図２１】
2021532660.tif 000058
【図２２】
2021532660.tif 000059
【図２３】
2021532660.tif 000060
【図２４】
2021532660.tif 000061
【図２５】
2021532660.tif 000062
【図２６】
2021532660.tif 000063
【図２７】
2021532660.tif 000064
【図２８】
2021532660.tif 000065
【図２９】
2021532660.tif 000066
【図３０】
2021532660.tif 000067
【図３１】
2021532660.tif 000068
【国際調査報告】
2021532660.tif 000069
2021532660.tif 000070
2021532660.tif 000071
2021532660.tif 000072